(57)【要約】本発明は、新型の追記型ＤＶＤメディアであって、ＤＶＤ−Ｒ規格で規定されていない媒体特性を有し、ＤＶＤ−ＲＯＭ規格と互換性を有することを特徴とする。  これにより、新型の追記型ＤＶＤメディアに、ＣＳＳ（Ｃｏｎｔｅｎｔ  Ｓｃｒａｍｂｌｉｎｇ  Ｓｙｓｔｅｍ）で保護されたコンテンツデータを記録した場合であっても、既存のプレーヤにて再生が可能であることから、キオスク端末を用いたコンテンツ配信サービスに利用することが可能となる。
2008016008.tif 000002
【特許請求の範囲】
【請求項１】
ＤＶＤ−Ｒ規格で規定されていない媒体特性を有し、ＤＶＤ−ＲＯＭ規格と互換性を有することを特徴とする追記型の記録媒体。
【請求項２】
前記媒体特性として、ＤＶＤ−Ｒ規格で規定されていない物理特性を有することを特徴とする請求項１に記載の追記型の記録媒体。
【請求項３】
前記ＤＶＤ−Ｒ規格で規定されていない物理特性として、グルーブウォブルの振幅が０であるグルーブ、ランド、及びピット群が形成された記録層を備えることを特徴とする請求項２に記載の追記型の記録媒体。
【請求項４】
前記ＤＶＤ−Ｒ規格で規定されていない物理特性として、ＤＶＤ−Ｒ規格で規定されているグルーブウォブルの周波数と異なる周波数でウォブリングされたグルーブ、ランド、及びピット群が形成された記録層を備えることを特徴とする請求項２に記載の追記型の記録媒体。
【請求項５】
前記ＤＶＤ−Ｒ規格で規定されていない物理特性として、ＤＶＤ−Ｒ規格で規定されているグルーブウォブルの周波数の整数倍又は分数倍である周波数でウォブリングされたグルーブ、ランド、及びピット群が形成された記録層を備えることを特徴とする請求項４に記載の追記型の記録媒体。
【請求項６】
前記ＤＶＤ−Ｒ規格で規定されていない物理特性として、記録位置を決定するアドレス用ピット群が形成された平らな記録層を備えることを特徴とする請求項２に記載の追記型の記録媒体。
【請求項７】
前記追記型の記録媒体は、
リードイン領域、データ領域、及びリードアウト領域から成るＩｎｆｏｒｍａｔｉｏｎ  ａｒｅａと、
前記Ｉｎｆｏｒｍａｔｉｏｎ  ａｒｅａの内周に位置するＲ−Ｉｎｆｏｒｍａｔｉｏｎ  ａｒｅａとを備え、
前記ＤＶＤ−Ｒ規格で規定されていない物理特性として、前記Ｒ−Ｉｎｆｏｒｍａｔｉｏｎ  ａｒｅａに記録層が形成されておらず、前記Ｉｎｆｏｒｍａｔｉｏｎ  ａｒｅａに記録層が形成されていることを特徴とする請求項２に記載の追記型の記録媒体。
【請求項８】
前記媒体特性として、ＤＶＤ−Ｒ規格で規定されていない論理特性を有することを特徴とする請求項１に記載の追記型の記録媒体。
【請求項９】
前記ＤＶＤ−Ｒ規格で規定されていない論理特性として、リードイン領域内のＲ／ＲＷ物理フォーマット情報が記録されている領域に、ＤＶＤ−Ｒを示す値とは異なる値が埋め込まれていることを特徴とする請求項８に記載の追記型の記録媒体。
【請求項１０】
リードイン領域内のＲ／ＲＷ物理フォーマット情報が記録されている領域に、全て同じ値が埋め込まれていることを特徴とする請求項９に記載の追記型の記録媒体。
【請求項１１】
リードイン領域に記録されている物理フォーマット情報に、ＲＯＭディスクであることを示す値が記録されていることを特徴とする請求項１に記載の追記型の記録媒体。
【請求項１２】
外部の記録媒体から、前記記録媒体の特性を取得する取得手段と、
取得した前記特性に基づき、前記記録媒体が、請求項１に記載の追記型の記録媒体であるか否かを判定する判定手段と、
前記判定手段による判定の結果が肯定的である場合に、前記記録媒体にデータを書き込む書込手段と
を備えることを特徴とするデータ記録装置。
【請求項１３】
前記書込手段は、前記データが、ＣＳＳ（Ｃｏｎｔｅｎｔ  Ｓｃｒａｍｂｌｉｎｇ  Ｓｙｓｔｅｍ）で保護されたＤＶＤ−Ｖｉｄｅｏ規格に準拠したデータであるか否かを判定し、前記データが、ＣＳＳで保護されたＤＶＤ−Ｖｉｄｅｏ規格に準拠したデータである場合は、前記判定手段による前記判定の結果が肯定的である場合にのみ、前記記録媒体に前記データを書き込む
ことを特徴とする請求項１２に記載のデータ記録装置。
【請求項１４】
前記書込手段は、前記判定手段による判定の結果が肯定的である場合に、前記記録媒体のリードイン領域に、コンテンツプロバイダ情報を書き込む
ことを特徴とする請求項１３に記載のデータ記録装置。
【請求項１５】
前記取得手段は、前記記録媒体から物理特性を取得し、
前記判定手段は、取得した前記物理特性に基づき、前記記録媒体が、請求項１に記載の追記型の記録媒体であるか否かを判定する
ことを特徴とする請求項１２に記載のデータ記録装置。
【請求項１６】
前記取得手段は、前記物理特性としてグルーブウォブルの振幅を取得し、
前記判定手段は、取得した前記振幅が０である場合に、前記記録媒体が請求項１に記載の追記型の記録媒体であると判定する
ことを特徴とする請求項１５に記載のデータ記録装置。
【請求項１７】
前記取得手段は、前記物理特性としてグルーブウォブルの周波数を取得し、
前記判定手段は、取得した前記周波数が、ＤＶＤ−Ｒ規格で規定されているグルーブウォブルの周波数と異なる場合に、前記記録媒体が請求項１に記載の追記型の記録媒体であると判定する
ことを特徴とする請求項１５に記載のデータ記録装置。
【請求項１８】
前記判定手段は、取得した前記周波数が、ＤＶＤ−Ｒ規格で規定されているグルーブウォブルの周波数の整数倍又は分数倍である場合に、前記記録媒体が請求項１７に記載の追記型の記録媒体であると判定する
ことを特徴とする請求項１７に記載のデータ記録装置。
【請求項１９】
前記取得手段は、前記物理特性として、前記記録媒体のトラックフォーマットを示す情報を取得し、
前記判定手段は、取得した前記情報に基づき、前記記録媒体にグルーブ及びランドが存在しないと判断する場合に、前記記録媒体が請求項１に記載の追記型記録媒体であると判定する
ことを特徴とする請求項１５に記載のデータ記録装置。
【請求項２０】
前記取得手段は、リードイン領域の内周部分から前記物理特性を取得し、
前記判定手段は、リードイン領域の内周部分に、記録層が存在しない場合に、前記記録媒体が請求項１に記載の追記型の記録媒体であると判定する
ことを特徴とする請求項１５に記載のデータ記録装置。
【請求項２１】
前記取得手段は、前記記録媒体から論理特性を取得し、
前記判定手段は、取得した前記論理特性に基づき、前記記録媒体が請求項１に記載の追記型の記録媒体であるか否かを判定する
ことを特徴とする請求項１２に記載のデータ記録装置。
【請求項２２】
前記取得手段は、Ｒ／ＲＷ物理フォーマット情報が記録されている領域からフォーマット情報を取得し、
前記判定手段は、取得した前記フォーマット情報がＤＶＤ−Ｒを示す値と異なる値である場合に、前記記録媒体が請求項１に記載の追記型の記録媒体であると判定する
ことを特徴とする請求項２１に記載のデータ記録装置。
【請求項２３】
前記判定手段は、取得した前記フォーマット情報が全て同じ値である場合に、前記記録媒体が請求項１に記載の追記型の記録媒体であると判定する
ことを特徴とする請求項２２に記載のデータ記録装置。
【請求項２４】
前記取得手段は、前記記録媒体から物理フォーマット情報を取得し、
前記判定手段は、前記物理フォーマット情報にＲＯＭディスクであることを示す値が記録されている場合に、前記記録媒体が請求項１に記載の追記型の記録媒体であると判定する
ことを特徴とする請求項２１に記載のデータ記録装置。
【請求項２５】
前記データ記録装置は、
外部の記録媒体を装着して、前記記録媒体を自装置内に取り込む媒体入力手段と、
前記判定手段により、前記記録媒体が請求項１に記載の追記型の記録媒体でないと判定された場合に、前記媒体入力手段を動作させて、前記記録媒体を自装置外に排出する制御手段と
を備えることを特徴とする請求項１２に記載のデータ記録装置。
【請求項２６】
前記書込手段は、請求項１に記載の追記型の記録媒体の前記媒体特性を用いて、前記記録媒体に前記データを書き込む
ことを特徴とする請求項１２に記載のデータ記録装置。
【請求項２７】
前記書込手段は、前記媒体特性として、ＤＶＤ−Ｒ規格で規定されているグルーブウォブルの周波数とは異なる規定値に設定された請求項１に記載の追記型の記録媒体のグルーブウォブルの周波数を用いて、前記記録媒体に前記データを書き込む
ことを特徴とする請求項２６に記載のデータ記録装置。
【請求項２８】
請求項１に記載の追記型の記録媒体のグルーブウォブルの周波数を示す前記規定値は、ＤＶＤ−Ｒ規格で規定されているグルーブウォブルの周波数の整数倍である
ことを特徴とする請求項２７に記載のデータ記録装置。
【請求項２９】
外部の記録媒体から、前記記録媒体の特性を取得する取得手段と、
取得した前記特性に基づき、前記記録媒体が請求項１に記載の追記型の記録媒体であるか否か判定する判定手段と、
前記判定手段の結果が肯定的である場合に、前記記録媒体に記録されているデータを再生する再生手段と
を備えることを特徴とするデータ再生装置。
【請求項３０】
データ記録装置で用いられるデータ記録方法であって、
外部の記録媒体から、前記記録媒体の特性を取得する取得ステップと、
取得した前記特性に基づき、前記記録媒体が、請求項１に記載の追記型の記録媒体であるか否かを判定する判定ステップと、
前記判定ステップによる判定の結果が肯定的である場合に、前記記録媒体にデータを書き込む書込ステップと
を含むことを特徴とするデータ記録方法。
【発明の詳細な説明】
【技術分野】
【０００１】  本発明は、デジタルデータを記録する記録媒体に関し、特に、追記型の記録媒体に関する。
【背景技術】
【０００２】  映画等のデジタルコンテンツを配信する方法として一般的であるのは、ＤＶＤ（Ｄｉｇｉｔａｌ  Ｖｅｒｓａｔｉｌｅ  Ｄｉｓｃ）−ＲＯＭにデジタルコンテンツを記録して配信する方法である。
ＤＶＤ−ＲＯＭを用いたコンテンツ配信では、ＤＶＤ−Ｖｉｄｅｏ規格に準拠したコンテンツデータを、著作権保護技術の１つであるＣＳＳ（Ｃｏｎｔｅｎｔ  Ｓｃｒａｍｂｌｉｎｇ  Ｓｙｓｔｅｍ）で保護した上で、記録する。ＣＳＳは、コンテンツの不正コピーを禁止することを目的として導入された仕組みであり、現在、一般に広く出回っているＤＶＤプレーヤには、ＣＳＳの制約を実現するための機構が組み込まれている。【０００３】  ＤＶＤ−ＲＯＭを用いた方法以外のコンテンツ配信方法として、コンビニエンスストアの店頭等に設置されたキオスク端末を用いて、コンテンツをダウンロードするシステムが考えられている。
キオスク端末は、ネットワークを介して、コンテンツを蓄積したサーバと接続されている。ユーザは、キオスク端末上で購入するコンテンツを選択し、記録型のブランクディスクをキオスク端末に挿入する。キオスク端末は、選択されたコンテンツをサーバから取得して、ブランクディスクに記録する。このときブランクディスクには、著作権保護が施されたコンテンツが記録される。【０００４】  上記のシステムでは、ブランクディスクとして、現在、追記型メディアの主流となっているＤＶＤ−Ｒを用いることが想定される。
【特許文献１】特開２００４−２４６９９０号公報
【発明の開示】
【発明が解決しようとする課題】
【０００５】  上記のシステムにおいて、ブランクディスクとしてＤＶＤ−Ｒを用い、著作権保護技術としてＣＳＳを用いた場合、従来のＤＶＤプレーヤでは、ＤＶＤ−Ｒに記録されているコンテンツを再生することができない。
これは、既存のＤＶＤプレーヤには、ＣＳＳの規約上、ＣＳＳで保護されたコンテンツがＤＶＤ−Ｒに記録されている場合には、不正コピーとみなしてコンテンツを再生させない機構が組み込まれているためである。【０００６】  しかし、この機構は、ＣＳＳで保護されたコンテンツがディスク経由で配布されることしか想定されていなかった頃に策定された規約に従っている。そのため、今回想定しているような、キオスク端末経由でコンテンツを受け取り、ブランクディスクに書き込むシステムでは、以下のような不都合が生じる。
キオスク端末は正規のライセンスを受けた上で、ＣＳＳで保護されたコンテンツをＤＶＤ−Ｒに書き込んでいるにも関わらず、ユーザは購入したコンテンツを再生することができない。しかし、だからと言って、キオスク端末を用いたサービスを受けることを希望する全てのユーザに対して、ＤＶＤ−Ｒに記録されたＣＳＳコンテンツを再生することが出来る新たなＤＶＤプレーヤの買い替えを要求するのは酷である。【０００７】  この様な不都合が生じれば、新たなコンテンツ配信システムの普及が阻まれることとなる。
そこで、本発明は、上記の問題点に鑑みなされたものであって、ＣＳＳで保護されたコンテンツを記録型のメディアに記録した場合でも、従来のＤＶＤプレーヤで再生することができる追記型の記録媒体、データ記録装置、データ再生装置、及びデータ記録方法を提供することを目的とする。
【課題を解決するための手段】
【０００８】  上記の問題点を解決するために、本発明は、記録媒体であって、ＤＶＤ−Ｒ規格で規定されていない媒体特性を有し、ＤＶＤ−ＲＯＭ規格と互換性を有することを特徴とする。
【発明の効果】
【０００９】  上記の構成によると、本発明の記録媒体を用いれば、受け付けた記録媒体がＤＶＤ−Ｒであるか否かを媒体特性から判断する既存のＤＶＤプレーヤに対して、自身がＤＶＤ−Ｒとは異なる記録媒体であることを示すことができる。
従って、ユーザは、本発明の記録媒体を用いれば、ＣＳＳで保護されたコンテンツデータを記録した場合に、既存のＤＶＤプレーヤにてコンテンツを視聴することが可能となる。【００１０】  本発明の記録媒体は、例えばキオスク端末を用い、正規のライセンスを得て、ユーザにコンテンツを販売するサービスにおいて利用されることが想定される。
この場合、キオスク端末は、ユーザから受け付けた記録媒体が、既存のＤＶＤ−Ｒであるのか、本発明の新型の記録媒体であるのかを判別することが可能である。ここで、キオスク端末は、ユーザから受け付けた記録媒体が本発明の記録媒体であると判断する場合にのみ、記録媒体にＣＳＳで保護されたコンテンツを書き込むようにすれば、既存のＤＶＤプレーヤを用いて再生可能な記録済みディスクをユーザに提供することが可能となる。【００１１】  ここで、本発明の記録媒体は、前記媒体特性として、ＤＶＤ−Ｒ規格で規定されていない物理特性を有するように構成してもよい。
この構成によると、本発明の記録媒体は、従来のＤＶＤ−Ｒと区別することが可能であり、追記型のＤＶＤメディアでありながら、ＣＳＳで保護されたコンテンツデータを記録した場合に、既存のＤＶＤプレーヤにてコンテンツを再生することが可能となる。【００１２】  ここで、本発明の記録媒体は、前記ＤＶＤ−Ｒ規格で規定されていない物理特性として、グルーブウォブルの振幅が０であるグルーブ、ランド、及びピット群が形成された記録層を備えるように構成しても良い。
従来のＤＶＤ−Ｒは、グルーブウォブルが所定の振幅でウォブリングされている。一方で、本発明の記録媒体は、グルーブウォブルの振幅が０であり、従来のＤＶＤ−Ｒとは明らかに異なる。【００１３】  従って、データ記録時及びデータ再生時に、グルーブの形状を調べることにより、従来のＤＶＤ−Ｒと本発明の記録媒体とを区別することが可能となる。
ここで、本発明の記録媒体は、前記ＤＶＤ−Ｒ規格で規定されていない物理特性として、ＤＶＤ−Ｒ規格で規定されているグルーブウォブルの周波数と異なる周波数でウォブリングされたグルーブ、ランド、及びピット群が形成された記録層を備えるように構成しても良い。【００１４】  また、本発明の記録媒体は、前記ＤＶＤ−Ｒ規格で規定されていない物理特性として、ＤＶＤ−Ｒ規格で規定されているグルーブウォブルの周波数の整数倍又は分数倍である周波数でウォブリングされたグルーブ、ランド、及びピット群が形成された記録層を備えるように構成してもよい。
この構成によると、本発明の記録媒体は、ウォブルの周波数が、従来のＤＶＤ−Ｒとは異なるので、データ記録時及びデータ再生時に、ウォブルの周波数を調べることにより、従来のＤＶＤ−Ｒと本発明の記録媒体とを区別することが可能となる。【００１５】  ここで、本発明の記録媒体は、前記ＤＶＤ−Ｒ規格で規定されていない物理特性として、記録位置を決定するアドレス用ピット群が形成された平らな記録層を備えるように構成してもよい。
従来のＤＶＤ−Ｒは、トラックフォーマットとして、ランドとグルーブとを備えていた。しかし、この構成によれば、本発明の記録媒体は、ランドとグルーブとを備えておらず、明らかに、従来のＤＶＤ−Ｒとは異なる物理特性を有している。【００１６】  従って、データ記録時及びデータ再生時に、トラックフォーマットを調べることにより、従来のＤＶＤ−Ｒと本発明の記録媒体とを区別することが可能となる。
また、本発明の記録媒体は、アドレス用のピットが刻まれているので、これを用いて位置決定を行い、データを記録することが出来る。
ここで、本発明の記録媒体は、リードイン領域、データ領域、及びリードアウト領域から成るＩｎｆｏｒｍａｔｉｏｎ  ａｒｅａと、前記Ｉｎｆｏｒｍａｔｉｏｎ  ａｒｅａの内周に位置するＲ−Ｉｎｆｏｒｍａｔｉｏｎ  ａｒｅａとを備え、前記ＤＶＤ−Ｒ規格で規定されていない物理特性として、前記Ｒ−Ｉｎｆｏｒｍａｔｉｏｎ  ａｒｅａに記録層が形成されておらず、前記Ｉｎｆｏｒｍａｔｉｏｎ  ａｒｅａに記録層が形成されているように構成してもよい。【００１７】  従来のＤＶＤ−Ｒは、Ｉｎｆｏｒｍａｔｉｏｎ  ａｒｅａ、及びその内周に位置するＲ−Ｉｎｆｏｒｍａｔｉｏｎ  ａｒｅａに記録層が形成されていた
しかし、本発明の記録媒体は、Ｉｎｆｏｒｍａｔｉｏｎ  ａｒｅａのみに記録層を形成しているので、明らかに従来のＤＶＤ−Ｒとは異なる構成を有する。
従って、データ記録時及びデータ再生時に、Ｉｎｆｏｒｍａｔｉｏｎ  ａｒｅａの内周部分に記録領域が存在するか否かを調べることにより、従来のＤＶＤ−Ｒと本発明の記録媒体とを区別することが可能となる。【００１８】  ここで、本発明の記録媒体は、前記媒体特性として、ＤＶＤ−Ｒ規格で規定されていない論理特性を有するように構成してもよい。
この構成によると、本発明の記録媒体は、従来のＤＶＤ−Ｒと区別することが可能であり、追記型のＤＶＤメディアでありながら、ＣＳＳで保護されたコンテンツデータを記録した場合に、既存のＤＶＤプレーヤにてコンテンツを再生することが可能となる。【００１９】  ここで、本発明の記録媒体は、前記ＤＶＤ−Ｒ規格で規定されていない論理特性として、リードイン領域内のＲ／ＲＷ物理フォーマット情報が記録されている領域に、ＤＶＤ−Ｒを示す値とは異なる値が埋め込まれているように構成してもよい。
また、本発明の記録媒体は、リードイン領域内のＲ／ＲＷ物理フォーマット情報が記録されている領域に、全て同じ値が埋め込まれているように構成しても良い。【００２０】  従来のＤＶＤ−Ｒでは、Ｒ／ＲＷ物理フォーマット情報が記録されている領域には、追記型ディスクのＤＶＤ−Ｒであることを示す値が埋め込まれているので、本発明の記録媒体は、ＤＶＤ−Ｒとは明らかに異なる。
従って、データ記録時及びデータ再生時に、Ｒ／ＲＷ物理フォーマット情報が記録されている領域からデータを抽出することにより、従来のＤＶＤ−Ｒと本発明の記録媒体とを区別することが可能となる。【００２１】  ここで、本発明の記録媒体は、リードイン領域に記録されている物理フォーマット情報に、ＲＯＭディスクであることを示す値が記録されているように構成してもよい。
従来のＤＶＤ−Ｒでは、当然のことであるが、ＲＯＭディスクであることを示す物理フォーマット情報を有していない。従って、本発明の記録媒体は、追記型でありながら明らかにＤＶＤ−Ｒと異なる論理特性を有している。【００２２】  従って、データ記録時及びデータ再生時に、物理フォーマット情報が記録されている領域からデータを抽出することにより、従来のＤＶＤ−Ｒと本発明の記録媒体とを区別することが可能となる。
また、本発明は、データ記録装置であって、外部の記録媒体から、前記記録媒体の特性を取得する取得手段と、取得した前記特性に基づき、前記記録媒体が、請求項１に記載の追記型の記録媒体であるか否かを判定する判定手段と、前記判定手段による判定の結果が肯定的である場合に、前記記録媒体にデータを書き込む書込手段とを備えることを特徴とする。【００２３】  この構成によると、データ記録装置は、記録媒体が従来のＤＶＤ−Ｒ等、請求項１に記載した新型の追記型ディスク以外の記録媒体である場合には、データを書き込まないので、従来のＤＶＤプレーヤで再生可能なディスクのみを生成することができ、従来のＤＶＤププレーヤで再生できないディスクを生成することがない。
本発明の記録媒体及びデータ記録装置は、例えばキオスク端末（前記データ記録装置に相当する）を用い、正規のライセンスを得て、ユーザにコンテンツを販売するサービスにおいて利用されることが想定される。【００２４】  この場合、キオスク端末は、ユーザから受け付けた記録媒体が、既存のＤＶＤ−Ｒであるのか、本発明の新型の追記型記録媒体であるのかを判別することが可能である。ここで、キオスク端末は、ユーザから受け付けた記録媒体が本発明の記録媒体であると判断する場合にのみ、記録媒体にＣＳＳで保護されたコンテンツを書き込むようにすれば、ユーザは、既存のＤＶＤプレーヤを用いて、コンテンツを視聴することが可能となる。【００２５】  ここで、前記書込手段は、前記データが、ＣＳＳ（Ｃｏｎｔｅｎｔ  Ｓｃｒａｍｂｌｉｎｇ  Ｓｙｓｔｅｍ）で保護されたＤＶＤ−Ｖｉｄｅｏ規格に準拠したデータであるか否かを判定し、前記判定の結果が肯定的である場合にのみ、前記追記型の記録媒体に、前記データを書き込む
ように構成してもよい。【００２６】  この構成によると、データ記録装置は、著作権保護が施されたデータを、正規のライセンスを受けてユーザにサービスを提供することができる。
ここで、前記書込手段は、前記判定手段による判定の結果が肯定的である場合に、前記記録媒体のリードイン領域に、コンテンツプロバイダ情報を書き込むように構成してもよい。【００２７】  従来のＤＶＤ−Ｒは、リードイン領域にコンテンツプロバイダ情報が記録されることはない。また、従来のＤＶＤ−ＲＯＭは、リードイン領域にコンテンツプロバイダ情報が記録されている。
従って、本発明のデータ記録装置は、請求項１に記載の新型の追記型記録媒体にコンテンツプロバイダ情報を書き込むことにより、データ再生時には、既存のＤＶＤプレーヤにてＲＯＭディスクとして扱われることとなり、データを再生することが可能となる。【００２８】  ここで、前記取得手段は、前記記録媒体から物理特性を取得し、前記判定手段は、取得した前記物理特性に基づき、前記記録媒体が、請求項１に記載の追記型の記録媒体であるか否かを判定するように構成してもよい。
この構成によると、データ記録装置は、物理特性を取得するという簡便な処理にて、本発明の記録媒体と従来のＤＶＤ−Ｒとを判別することが可能となる。【００２９】  ここで、前記取得手段は、前記物理特性としてグルーブウォブルの振幅を取得し、前記判定手段は、取得した前記振幅が０である場合に、前記記録媒体が請求項１に記載の追記型の記録媒体であると判定するように構成してもよい。
この構成によると、データ記録装置は、ウォブルの有無を判断するという簡便な処理にて、本発明の追記型記録媒体と従来のＤＶＤ−Ｒとを判別することが可能となる。【００３０】  ここで、前記取得手段は、前記物理特性としてグルーブウォブルの周波数を取得し、前記判定手段は、取得した前記周波数が、ＤＶＤ−Ｒ規格で規定されているグルーブウォブルの周波数と異なる場合に、前記記録媒体が請求項１に記載の追記型の記録媒体であると判定するように構成してもよい。
また、前記判定手段は、取得した前記周波数が、ＤＶＤ−Ｒ規格で規定されているグルーブウォブルの周波数の整数倍又は分数倍である場合に、前記記録媒体が請求項１に記載の追記型の記録媒体であると判定するように構成してもよい。【００３１】  この構成によると、データ記録装置は、ウォブルの周波数を調べるという簡便な処理にて、本発明の追記型記録媒体と従来のＤＶＤ−Ｒとを判別することが可能となる。
ここで、前記取得手段は、前記物理特性として、前記記録媒体のトラックフォーマットを示す情報を取得し、前記判定手段は、取得した前記情報に基づき、前記記録媒体にグルーブ及びランドが存在しないと判断する場合に、前記記録媒体が請求項１に記載の追記型記録媒体であると判定するように構成してもよい。【００３２】  この構成によると、データ記録装置は、記録媒体のトラックフォーマットを調べるという簡便な処理にて、本発明の追記型記録媒体と従来のＤＶＤ−Ｒとを判別することが可能となる。
ここで、前記取得手段は、リードイン領域の内周部分から前記物理特性を取得し、前記判定手段は、リードイン領域の内周部分に、記録層が存在しない場合に、前記記録媒体が請求項１に記載の追記型の記録媒体であると判定するように構成してもよい。【００３３】  この構成によると、データ記録装置は、従来のＤＶＤ−Ｒに備わっているＲ−Ｉｎｆｏｒｍａｔｉｏｎ  ａｒｅａという記録領域が存在するか否かを調べることにより、本発明の追記型記録媒体と従来のＤＶＤ−Ｒとを判別することが可能となる。
ここで、前記取得手段は、前記記録媒体から論理特性を取得し、前記判定手段は、取得した前記論理特性に基づき、前記記録媒体が請求項１に記載の追記型の記録媒体であるか否かを判定するように構成してもよい。【００３４】  この構成によると、データ記録装置は、物理特性を取得する場合と比較して、より簡便な処理にて、本発明の追記型記録媒体と従来のＤＶＤ−Ｒとを判別することが可能となる。
ここで、前記取得手段は、Ｒ／ＲＷ物理フォーマット情報が記録されている領域からフォーマット情報を取得し、前記判定手段は、取得した前記フォーマット情報がＤＶＤ−Ｒを示す値と異なる値である場合に、前記記録媒体が請求項１に記載の追記型の記録媒体であると判定するように構成してもよい。【００３５】  また、前記取得手段は、Ｒ／ＲＷ物理フォーマット情報が記録されている領域からフォーマット情報を取得し、前記判定手段は、取得した前記フォーマット情報が全て同じ値である場合に、前記記録媒体が請求項１に記載の追記型の記録媒体であると判定するように構成してもよい。
また、前記取得手段は、前記記録媒体から物理フォーマット情報を取得し、前記判定手段は、前記物理フォーマット情報にＲＯＭディスクであることを示す値が記録されている場合に、前記記録媒体が請求項１に記載の追記型の記録媒体であると判定するように構成してもよい。【００３６】  この構成によると、データ記録装置は、物理フォーマット情報を判断するという簡便な処理にて、本発明の追記型記録媒体と従来のＤＶＤ−Ｒとを判別することが可能となる。
ここで、前記データ記録装置は、外部の記録媒体を装着して、前記記録媒体を自装置内に取り込む媒体入力手段と、前記判定手段により、前記記録媒体が請求項１に記載の追記型の記録媒体でないと判定された場合に、前記媒体入力手段を動作させて、前記記録媒体を自装置外に排出する制御手段とを備えるように構成してもよい。【００３７】  この構成によると、データ記録装置は、ユーザが挿入した記録媒体が、本発明の新型の追記型記録媒体以外のディスクであると判断した場合には、データを記録せず速やかにディスクを排出することができ、ユーザに対して、データを記録できないディスクである旨を通知することが可能となる。
ここで、前記書込手段は、請求項１に記載の追記型の記録媒体の前記媒体特性を用いて、前記記録媒体に前記データを書き込むように構成してもよい。【００３８】  ここで、前記書込手段は、前記媒体特性として、ＤＶＤ−Ｒ規格で規定されているグルーブウォブルの周波数とは異なる規定値に設定された請求項１に記載の追記型の記録媒体のグルーブウォブルの周波数を用いて、前記記録媒体に前記データを書き込むように構成してもよい。
ここで、請求項１に記載の追記型の記録媒体のグルーブウォブルの周波数を示す前記規定値は、ＤＶＤ−Ｒ規格で規定されているグルーブウォブルの周波数の整数倍であるように構成してもよい。【００３９】  この構成によると、データ記録装置は、新型の追記型ディスクに対して、判定手段による前記判定に用いられるその媒体特性（トラックフォーマット等）を用いて、データを書き込むことが可能となる。
【図面の簡単な説明】
【００４０】
【図１】コンテンツ配信システム１の全体構成を示す図である。
【図２】キオスク端末１２０の構成を機能的に示す機能ブロック図である。
【図３】キオスク端末１２０におけるコンテンツ販売処理の動作を示すフローチャートである。
【図４】キオスク端末１２０におけるディスク識別処理の動作を示すフローチャートである。
【図５】（ａ）新型追記型ブランクディスク１４１の図である。（ｂ）新型追記型ブランクディスク１４１のトラックフォーマットを説明するための概略図である。
【図６】新型追記型ブランクディスク１４１の物理的な構造を示すための概略図である。
【図７】新型追記型ブランクディスク１４１の論理データを示す図である。
【図８】新型追記型ブランクディスク１４１の製造方法を示すフローチャートである。
【図９】新型追記型ブランクディスク１４１のスタンパ作成処理の動作を示すフローチャートである。
【図１０】記録済みディスク１４２の論理データを示す図である。
【図１１】第１の変形例に係る新型追記型ブランクディスクのトラックフォーマットを説明するための概略図である。
【図１２】第１の変形例に係る新型追記型ブランクディスクのトラックフォーマットを説明するための概略図である。
【図１３】第２の変形例に係る新型追記型ブランクディスクのトラックフォーマットを説明するための概略図である。
【図１４】第２の変形例に係る新型追記型ブランクディスクのグルーブウォブルについて説明するための図である。
【符号の説明】
【００４１】        １      コンテンツ配信システム
１１０      コンテンツ配信サーバ
１１１  コンテンツＤＢ
１２０      キオスク端末
１３０      ディスクプレーヤ
１４０      通信路
１４１      新型追記型ブランクディスク
１４２      記録済みディスク
２０１      リードイン領域
２０２      データ領域
２０３      リードアウト領域
３０１      ポリカーボネート樹脂層
３０２      記録層
３０３      反射層
３０４      保護層
３０５      接着面
３０６      ダミー基板
３１１      グルーブ
３１１ｂ      グルーブ
３１２      ランド
３１２ｂ      ランド
３１３ａ      アドレス用ピット
３１３      ランドプリピット
３１３ｂ      ランドプリピット
１２０１      ディスク識別部
１２０２      論理特性取得部
１２０３      物理特性取得部
１２０４      データ読出部
１２０５      データ書込部
１２０６      課金部
１２０７      証明書保持部
１２０８      データ書込制御部
１２０９      データ取得部
１２１０      通信部
１２１１      操作部
１２１２      表示部
【発明を実施するための最良の形態】
【００４２】  本発明を実施するための最良の形態を、図面を参照しながら説明する。
（コンテンツ配信システム１の全体構成）
図１は、本発明の一実施形態に係るコンテンツ配信システム１の全体構成を示す図である。
図１に示すように、コンテンツ配信システム１は、コンテンツ配信サーバ１１０と、コンテンツＤＢ１１１と、キオスク端末１２０と、ディスクプレーヤ１３０と、通信路１４０と、新型追記型ブランクディスク１４１と、記録済みディスク１４２とから構成される。【００４３】  コンテンツ配信サーバ１１０は、ＣＰＵ、ワークメモリ、ＨＤＤ等から構成されるコンピュータを想定しているが、それに限るものではない。また、コンテンツ配信サーバ１１０は、コンテンツＤＢ１１１と接続されている。
コンテンツＤＢ１１１は、ＣＳＳ（Ｃｏｎｔｅｎｔ  Ｓｃｒａｍｂｌｉｎｇ  Ｓｙｓｔｅｍ）で保護された暗号化コンテンツデータと、関連するＣＳＳデータとを管理している。【００４４】  具体的には、コンテンツＤＢ１１１は、コンテンツのＡＶデータをタイトル鍵で暗号化した暗号化コンテンツデータと、タイトル鍵をディスク鍵で暗号化した暗号化タイトル鍵、及びディスク鍵をディスクプレーヤ１３０が持つマスタ鍵を含む複数個のマスタ鍵で暗号化した暗号化ディスク鍵セットとを関連付けて記憶している。
コンテンツ配信サーバ１１０は、後述するキオスク端末１２０からの要求に応じて、要求されたコンテンツが暗号化されている暗号化コンテンツと、関連するＣＳＳデータとをコンテンツＤＢ１１１から取得する。コンテンツ配信サーバ１１０は、取得した暗号化コンテンツとＣＳＳデータとを、キオスク端末１２０に送信する。【００４５】  ディスクプレーヤ１３０は、ＤＶＤ−ＲＯＭを再生する機能を有する既存のＤＶＤ再生装置である。ここで、ＤＶＤ−ＲＯＭを再生する機能を有することから、ディスクプレーヤ１３０は、ＣＳＳで保護されたＤＶＤ−Ｖｉｄｅｏ規格準拠のデータを再生することができる。本実施形態では、ディスクプレーヤ１３０として、既存の民生用プレーヤ、ＰＣを利用したソフトウェアプレーヤ等を想定しているが、それに限るものではない。【００４６】  コンテンツ配信サーバ１１０とキオスク端末１２０とを繋ぐ通信路１４０は、インターネットを想定しているが、それに限るものではない。
新型追記型ブランクディスク１４１は、追記型ディスクであるＤＶＤ−Ｒと、読出専用ディスクであるＤＶＤ−ＲＯＭの特性とを併せ持つディスクである。
具体的には、新型追記型ブランクディスク１４１は、ＤＶＤ−Ｒの物理特性と異なり、「ウォブルが無い」という物理特性を持ち、さらに、ＤＶＤ−ＲＯＭの論理特性と同様に、「Ｒ／ＲＷ物理フォーマット情報が０埋めされている」という論理特性を持つ。【００４７】  新型追記型ブランクディスク１４１が持つ特性は、キオスク端末１２０にセットされた際、物理特性、論理特性、若しくは物理／論理両特性から、新型追記型ブランクディスク１４１が、ＤＶＤ−Ｒとは異なる追記型ブランクディスクとして認識される特性であれば、前述の特性の組合せに限らない。
また、新型追記型ブランクディスク１４１が持つ特性は、データを記録した後、記録済みディスク１４２としてディスクプレーヤ１３０にセットされた際、ＤＶＤ−ＲＯＭディスクとして認識される特性であれば、前述の特性の組合せに限らない。【００４８】  従って、新型追記型ブランクディスク１４１が持つ物理特性を、ＤＶＤ−Ｒ固有の物理特性である「ウォブル」が無いこととしているが、これは一例にすぎない。上記以外にも、「トラックフォーマットがＬａｎｄ＆Ｇｒｏｏｖｅでない」、「Ｒ−Ｉｎｆｏｒｍａｔｉｏｎ  ａｒｅａが存在しない」、「ウォブルの周波数がＤＶＤ−Ｒ規格で規定されたものと異なる」等、新型追記型ブランクディスク１４１は、ＤＶＤ−Ｒが有する物理特性を持たず、データ記録時に、ＤＶＤ−Ｒと区別することができる物理特性を持っていればよい。更には、新型追記型ブランクディスク１４１が持つ物理特性を、ＤＶＤ−ＲＯＭが持つ物理特性としてもよい。ＤＶＤ−ＲＯＭが持つ物理特性は、例えば、「ウォブルが無い」等である。【００４９】  また、ここでは、新型追記型ブランクディスク１４１が持つ論理特性を、「Ｒ／ＲＷ物理フォーマット情報が０埋めされている」としているがこれも一例にすぎない。上記以外にも、「リードイン領域にコンテンツプロバイダ情報が記録されている」、「予め記録されている物理情報として″ＲＯＭディスク″の値を持つ」等、新型追記型ブランクディスク１４１は、データ書込み時にＤＶＤ−Ｒと区別することができ、且つ、既存のＤＶＤプレーヤにてＤＶＤ−ＲＯＭディスクとして認識されるための論理特性を持っていればよい。【００５０】  このような構成を有することにより、新型追記型ブランクディスク１４１は、データを書き込まれる際、ＤＶＤ−Ｒとは異なる追記型ディスクとして識別された上でデータを書き込まれることができる。更に、データ書込み後の記録済みディスク１４２は、既存のＤＶＤプレーヤで再生する際、ＤＶＤ−ＲＯＭとして識別される。
ディスクプレーヤ１３０は、セットされたディスクが、ＣＳＳコンテンツを記録したＤＶＤ−Ｒメディアであると判断した場合、コンテンツの再生を停止する。これは、ＣＳＳの規約を実現するための機構が、ディスクプレーヤ１３０に組み込まれているためである。しかし、上記の構成を有する新型追記型ブランクディスク１４１にコンテンツを記録した記録済みディスク１４２は、ＤＶＤ−Ｒが持つ特性を持たず、また、ＤＶＤ−ＲＯＭが持つ特性を持っているので、ディスクプレーヤ１３０により再生することが可能となる。【００５１】  以上で、コンテンツ配信システム１の全体構成に関する説明を終了する。
（コンテンツ配信システム１を用いて提供するサービスの概要）
次に、コンテンツ配信システム１を用いて提供するサービスの概要について説明する。
ユーザは、キオスク端末１２０に表示されるコンテンツのリストを見ながら購入したいコンテンツを選択し、ブランクディスクをキオスク端末１２０に挿入する。【００５２】  ここで、本発明の新型追記型ブランクディスク１４１は、既存のＤＶＤプレーヤで再生が可能となるよう、形状が従来のＤＶＤ−Ｒと良く似ている。そのため、ユーザが誤って従来のＤＶＤ−Ｒをキオスク端末１２０に挿入してしまう恐れがある。
この場合、ユーザが誤って挿入したＤＶＤ−Ｒに、ＣＳＳ保護されたコンテンツが書き込まれた状態となる。ディスクプレーヤ１３０は、ＣＳＳの制約を実現する機構によって、ＤＶＤ−ＲにＣＳＳ保護されたコンテンツが記録されている場合には、コンテンツの再生を禁止する。そのため、ユーザは、コンテンツの代金を支払っているにも関わらず、ディスクプレーヤ１３０で再生することができないディスクしか得られないこととなってしまう。【００５３】  従って、キオスク端末１２０は、挿入されたブランクディスクがＤＶＤ−Ｒとは異なり、且つ既存のＤＶＤプレーヤではＤＶＤ−ＲＯＭとして認識されることにより再生が可能となるような特性を持つ新型追記型ブランクディスク１４１が挿入された場合のみ、ユーザに対し、課金を要求するように構成することが望ましい。
また、新型追記型ブランクディスク１４１と誤って、再生専用のＤＶＤ−ＲＯＭディスクが挿入される場合も考えられる。このような場合、キオスク端末１２０は、ディスクにコンテンツを書き込むことができないため、ユーザの混乱を招く可能性がある。従って、キオスク端末１２０は、ＤＶＤ−ＲＯＭディスクが誤って挿入されたことについても、ユーザに課金を要求する前に検出することが望ましい。【００５４】  新型追記型ブランクディスクと、ＤＶＤ−Ｒディスク及びＤＶＤ−ＲＯＭディスク等の他のメディアとを区別する具体的な方法については後述する。
なお、ＤＶＤ−ＲやＤＶＤ−ＲＯＭ以外にも、ＤＶＤ−ＲＡＭやＤＶＤ−ＲＷ等の他のメディアが誤挿入された場合にも、誤ったメディアが挿入されたことを検出する必要があるが、これらのメディアが挿入されたか否かの判断方法は、ＤＶＤ−Ｒ、及びＤＶＤ−ＲＯＭの誤挿入を判断する方法と同様であるので、説明を省略する。【００５５】  ユーザがコンテンツの代金を支払う課金処理を行うと、キオスク端末１２０は、ユーザが選択したコンテンツを、コンテンツ配信サーバ１１０から取得する。なお、キオスク端末１２０が取得するコンテンツは、既にＣＳＳで保護されたＤＶＤ−Ｖｉｄｅｏ規格準拠のデータである。
続いて、キオスク端末１２０は、取得したコンテンツを、新型追記型ブランクディスク１４１に書き込み、記録済みディスク１４２を作成する。キオスク端末１２０は、記録済みディスク１４２を外部に排出して、ユーザは、記録済みディスク１４２を取得する。【００５６】  ディスクプレーヤ１３０は、記録済みディスク１４２をＤＶＤ−ＲＯＭであると認識するので、記録済みディスク１４２に記録されているコンテンツを再生する。そして、ユーザは、コンテンツを視聴する。
このように、本実施形態のコンテンツ配信システム１では、ＤＶＤ−Ｒとは異なり、且つ、ＤＶＤ−ＲＯＭの特性を持つ新型追記型ブランクディスク１４１を導入し、更に、そのディスクに、ＣＳＳで保護されたＤＶＤ−Ｖｉｄｅｏ規格準拠のデータを書き込むことにより、既存のＤＶＤプレーヤで再生することができるコンテンツを、ユーザに提供することができる。【００５７】  また、コンテンツ配信システム１では、キオスク端末１２０にてデータを書き込む前に、セットされたディスクが、新型追記型ブランクディスク１４１であるか、ＤＶＤ−Ｒ等の既存の追記型ディスクであるかを識別する。そして、セットされたディスクが新型追記型ブランクディスク１４１である場合のみ、キオスク端末１２０は、ＣＳＳで保護されたＤＶＤ−Ｖｉｄｅｏ規格準拠のデータを、ディスクに書き込む。【００５８】  これにより、既存のＤＶＤプレーヤで再生できないディスクを作成することを防ぎ、ユーザを混乱させることなく、追記型のＤＶＤディスクを用いたコンテンツ配信サービスを実現することができる。
以上で、コンテンツ配信システム１を用いて提供するサービスの概要についての説明を終了する。【００５９】  （キオスク端末１２０の構成）
図２は、キオスク端末１２０の内部構成を機能的に示す機能ブロック図である。
キオスク端末１２０は、ディスク識別部１２０１、論理特性取得部１２０２、物理特性取得部１２０３、データ読出部１２０４、データ書込部１２０５、課金部１２０６、証明書保持部１２０７、データ書込制御部１２０８、データ取得部１２０９、通信部１２１０、操作部１２１１、及び表示部１２１２から構成される。【００６０】  操作部１２１１、及び表示部１２１２は、それぞれ、ユーザ操作を受け付けることができ、操作内容や処理内容をユーザに提示する。本実施の形態では、操作部１２１１、及び表示部１２１２の具体例として、タッチパネルを想定している。しかし、上述した処理ができるものであれば、操作部１２１１、及び表示部１２１２は、タッチパネルに限定されない。【００６１】  物理特性取得部１２０３、データ読出部１２０４、及びデータ書込部１２０５は、それぞれ、ディスクからの物理特性の取得、ディスクのデータの読出し、及びディスクへのデータの書き込みを行う。本実施の形態では、物理特性取得部１２０３、データ読出部１２０４、及びデータ書込部１２０５の具体例として、ディスクドライブを想定している。しかし、上述したそれぞれの処理ができれば、物理特性取得部１２０３、データ読出部１２０４、及びデータ書込部１２０５は、ディスクドライブに限定されない。【００６２】  通信部１２１０は、通信路１４０を介して、コンテンツ配信サーバ１１０と通信する。本実施の形態では、通信部１２１０の具体例として、イーサネット（登録商標）端子を想定している。しかし、コンテンツ配信サーバ１１０との通信ができれば、通信部１２１０は、イーサネット端子に限定されない。
証明書保持部１２０７は、キオスク端末１２０の証明書を保持する。証明書は、キオスク端末１２０が正当なライセンスを受けた端末であることをコンテンツ配信サーバ１１０に呈示する情報である。具体的には、証明書は、認証局から取得した公開鍵証明書である。本実施の形態では、証明書保持部１２０７の具体例として、不揮発性メモリを想定している。しかし、証明書を保持することができれば、証明書保持部１２０７は、不揮発性メモリに限定されない。【００６３】  ディスク識別部１２０１、論理特性取得部１２０２、課金部１２０６、データ書込制御部１２０８、及びデータ取得部１２０９は、キオスク端末１２０上のＣＰＵ、ワークメモリを使って動作するソフトウェアを想定している。しかし、これらの構成要素をソフトウェアにより実現する代わりに、各構成要素をハードウェアとして実現しても良い。
以上で、キオスク端末１２０の内部構成に関する説明を終了する。【００６４】  （キオスク端末１２０の動作）
次に、図３及び図４に示すフローチャートを用いて、キオスク端末１２０の動作について説明する。
先ず、キオスク端末１２０の表示部１２１２は、本サービスで提供するコンテンツのリストを表示する。ユーザは、操作部１２１１を操作することにより、購入するコンテンツを選択する（ステップＳ１）。【００６５】  次に、キオスク端末１２０は、コンテンツを書き込むためのブランクディスクの挿入を要求する。
ユーザによりディスクがセットされると、ディスク識別部１２０１は、セットされたディスクの種類を識別する（ステップＳ２）。ディスク識別処理の詳細は後述する。
セットされたディスクが、新型追記型ブランクディスク１４１の場合（ステップＳ３でＹＥＳ）、ステップＳ４へ進む。【００６６】  セットされたディスクが、新型追記型ブランクディスク１４１でない場合（ステップＳ３でＮＯ）、キオスク端末１２０は、ディスクに何もデータを書き込まず、ステップＳ７へ進む。ステップＳ７において、キオスク端末１２０は、ディスクを外部へ排出し（ステップＳ７）、処理を終了する。
この様に、キオスク端末１２０は、ディスクにデータを書き込む前に、セットされたディスクの種類を識別し、セットされたディスクが新型追記型ブランクディスク１４１である場合のみ、ＣＳＳで保護されたＤＶＤ−Ｖｉｄｅｏ規格準拠のデータを書き込む。【００６７】  これにより、コンテンツ配信システム１では、既存のＤＶＤプレーヤで再生できないディスクを作成することを防ぎ、ユーザを混乱させることなく、追記型ディスクを使ったコンテンツ配信サービスを実現することができる。
ステップＳ３に続いて、ステップＳ４を処理する場合、キオスク端末１２０は、ユーザに対して、表示部１２１２を介して課金を要求する。そして、課金部１２０６は、ユーザからの課金を受け付け、課金処理を行う（ステップＳ４）。【００６８】  課金部１２０６による課金処理が終了すると、データ取得部１２０９は、ステップＳ１でユーザから要求されたコンテンツに関連するデータを、通信部１２１１、及び通信路１４０を介して、コンテンツ配信サーバ１１０に対して要求する。
このとき、キオスク端末１２０は、コンテンツ配信サーバ１１０に対し、証明書保持部１２０７に保持している自身の公開鍵証明書を送信する。そして、キオスク端末１２０は、コンテンツ配信サーバ１１０による公開鍵認証処理を受ける。キオスク端末１２０は、コンテンツ配信サーバ１１０により、公開鍵証明書が正当であると判断された場合に限り、要求したコンテンツに関連するデータを取得することができ、公開鍵証明書が不正であると判断された場合は、要求したコンテンツに関連するデータを取得することができない。【００６９】  なお、本実施形態では、コンテンツ配信サーバ１１０による片方向認証を行う構成としているが、コンテンツ配信サーバ１１０とキオスク端末１２０との間で、双方向認証を行うように構成してもよい。
このように、コンテンツ配信サーバ１１０が、キオスク端末１２０を認証することにより、コンテンツ配信システム１では、キオスク端末１２０に成りすまして、不正にコンテンツを取得されることを防止することができる。【００７０】  コンテンツ配信サーバ１１０による公開鍵証明書の認証が成功した後、データ取得部１２０９は、サーバ側で既にＣＳＳ保護が施されたＤＶＤ−Ｖｉｄｅｏ規格準拠の暗号化コンテンツデータを取得する（ステップＳ５）。
このとき、データ取得部１２０９は、コンテンツＤＢ１１１にて暗号化コンテンツデータと関連付けて管理されている暗号化タイトル鍵、及び暗号化ディスク鍵セットを、コンテンツ配信サーバ１１０から併せて取得する。更に、データ取得部１２０９は、コンテンツ配信サーバ１１０から、コンテンツプロバイダ情報を取得するものとする。【００７１】  次に、データ書込部１２０５は、データ取得部１２０９が取得したデータを、新型追記型ブランクディスク１４１に書き込む（ステップＳ６）。
より具体的には、データ書込部１２０５は、暗号化タイトル鍵をセクタヘッダ領域に書き込み、暗号化ディスク鍵セットとコンテンツプロバイダ情報とを、リードイン領域に書き込み、暗号化コンテンツデータをデータ領域に書き込む。ここで、データ書込部１２０５は、データ書込制御部１２０８の制御を受けて、各データを各領域へ書き込む。【００７２】  データ書込部１２０５により全てのデータの書き込みが終了すると、データ書込制御部１２０８は、ディスクへの書き込みが正常に終了したことを確認する。
その後、キオスク端末１２０は、ディスクを外部へ排出し（ステップＳ７）、処理を終了する。
以上で、キオスク端末１２０における処理についての説明を終了する。【００７３】  （ディスク識別処理の詳細フロー）
図４は、キオスク端末１２０によるディスク識別処理の動作を示すフローチャートである。なお、ここに示す動作は、図３のステップＳ２の詳細である。
物理特性取得部１２０３は、データ読出部１２０４を介して、キオスク端末１２０にセットされたディスクの物理特性を取得する（ステップＳ１１）。ここで取得する物理特性とは、ウォブルの有無を指す。【００７４】  次に、論理特性取得部１２０２は、データ読出部１２０４を介して、キオスク端末１２０にセットされたディスクの論理特性を取得する（ステップＳ１２）。ここで取得する論理特性とは、「Ｒ／ＲＷ物理フォーマット情報が記録されている領域のデータ」を指す。
続いて、ディスク識別部１２０１は、ステップＳ１１、及びステップＳ１２で取得した特性から、セットされたディスクの種類を識別する（ステップＳ１３）。【００７５】  具体的には、セットされたディスクの物理特性として、ウォブルが無く、且つ、論理特性として、Ｒ／ＲＷ物理フォーマット情報が全て０埋めされている場合に、ディスク識別部１２０１は、セットされたディスクが新型追記型ブランクディスク１４１であると判断する。
なお、既述のように、ここでは、新型追記型ブランクディスク１４１が持つ物理特性を、ＤＶＤ−Ｒの物理特性であるウォブルが無いこととしているが、これ以外にも、「トラックフォーマットがＬａｎｄ＆Ｇｒｏｏｖｅでない」、「Ｒ−Ｉｎｆｏｒｍａｔｉｏｎ  ａｒｅａが存在しない」、「ウォブルの周波数がＤＶＤ−Ｒ規格で規定されたものと異なる」等、ＤＶＤ−Ｒの物理特性を持たず、ＤＶＤ−Ｒと区別できる物理特性を持つとしてもよい。この場合、ディスク識別部１２０１は、それらの物理特性を用いて、ディスクを識別するように構成してもよい。【００７６】  また、ディスク識別部１２０１は、複数の物理特性を確認した上で新型追記型ブランクディスク１４１であるか否かを識別しても良いし、いずれか一つの物理特性から、新型追記型ブランクディスク１４１であるか否かを識別してもよい。
また、ここでは、新型追記型ブランクディスク１４１が持つ論理特性を、「Ｒ／ＲＷ物理フォーマット情報が０埋めされている」としているが、これ以外にも、「リードイン領域にコンテンツプロバイダ情報が記録されている」、「予め記録されている物理情報として″ＲＯＭディスク″の値を持つ」等、データ書込み時にＤＶＤ−Ｒと区別することができ、且つ、既存のＤＶＤプレーヤにてＤＶＤ−ＲＯＭと認識されるための論理特性であればよい。この場合、ディスク識別部１２０１は、それらの論理特性を用いて、ディスクを識別するように構成してもよい。また、この場合も、ディスク識別部１２０１は、複数の論理特性を確認した上で新型追記型ブランクディスク１４１であるか否かを識別しても良いし、いずれか一つの論理特性から、新型追記型ブランクディスク１４１であるか否かを識別してもよい。【００７７】  更に、ディスク識別部１２０１は、物理特性と論理特性との両方を確認せず、いずれか一方の確認結果のみから、セットされたディスクが新型追記型ブランクディスク１４１であるか否かを識別してもよい。
また、ディスク上のファイルシステムに関するデータの有無により、ＤＶＤ−ＲＯＭと新型追記型ブランクディスク１４１との識別も行う。【００７８】  ディスク上のファイルシステムに関するデータが存在する場合、セットされたディスクがＤＶＤ−ＲＯＭと識別する。なお、本実施の形態では、ＤＶＤ−ＲＯＭと新型追記型ブランクディスク１４１とは物理特性が類似しているため、上述のようにファイルシステムに関するデータの有無で区別しているが、これに限られる物ではない。例えば、従来ＤＶＤ−ＲとＤＶＤ−ＲＯＭとの区別に使っていた物理特性や論理特性を新型追記型ブランクディスクに持たせ、その特性の有無により、新型追記型ディスクであるかＤＶＤ−ＲＯＭディスクであるかを識別してもよい（このとき、新型追記形ディスク１４１に持たせる特性は、識別処理の混乱を防ぐため、ＤＶＤ−Ｒと新型追記型ディスク１４１との識別に用いる特性とは異なる特性である方がよいことは言うまでもない）。すなわち、ＤＶＤ−ＲＯＭと新型追記型ブランクディスク１４１との識別方法は、２つのディスクの物理特性、論理特性の相違点を用いて識別すればよく、前述の方法に限るものではない。【００７９】  以上で、ディスク識別処理についての説明を終了する。
次に、新型追記型ブランクディスク１４１について説明する。
（新型追記型ブランクディスク１４１の物理的特性）
ここでは、新型追記型ブランクディスク１４１の構成について説明する。
新型追記型ブランクディスク１４１の基本仕様は、
寸法            直径１２０ｍｍ、厚さ０．６ｍｍの
基板張り合わせ
データ容量        ４．７０ギガバイト／１面
レーザー波長        ６５０ｎｍ
トラックピッチ  ０．７４μｍ
反射率          ４５〜８５％
対物レンズＮＡ    ０．６０
変調方式          ８／１６変調
とする。【００８０】  図５（ａ）に示すように、新型追記型ブランクディスク１４１は、内周のリードイン領域２０１、外周のリードアウト領域２０３、及びそれらの間に位置するデータ領域２０２から構成され、内周から外周に向けてらせん状に記録領域を有する。
リードイン領域２０１には、ディスクプレーヤ１３０のドライブ部の制御に必要な情報が記録されている。【００８１】  それらの情報はコントロールデータとして、データ領域２０２のスタート半径２４ｍｍの内側１７．５トラックから約１０５トラックに記述される。コントロールデータの最初の１セクタが、ディスクの物理特性を示す物理フォーマット情報である。
データ領域２０２は、キオスク端末１２０にて書き込まれるコンテンツデータを記録する領域である。【００８２】  リードアウト領域２０３は、データ領域２０２の終端を示すための領域であってデータは何も記録されない。
リードイン領域２０１、データ領域２０２、及びリードアウト領域２０３から成る領域を、Ｉｎｆｏｒｍａｔｉｏｎ  ａｒｅａと呼称する。
なお、従来のＤＶＤ−Ｒでは、Ｉｎｆｏｒｍａｔｉｏｎ  ａｒｅａの更に内周に、Ｒ−Ｉｎｆｏｒｍａｔｉｏｎ  ａｒｅａという記憶領域が存在する。一方、新型追記型ブランクディスク１４１では、従来のＲ−Ｉｎｆｏｒｍａｔｉｏｎ  ａｒｅａに相当する領域である領域２０４を備えるが、領域２０４には、記録膜が存在しない。【００８３】  図５（ｂ）は、新型追記型ブランクディスク１４１のトラックフォーマットを説明するための模式図である。
新型追記型ブランクディスク１４１は、トラックフォーマットとして、螺旋状にグルーブ（溝部）３１１及びランド（溝間部）３１２を有する。トラックピッチは、０．７４μｍである。【００８４】  グルーブ３１１は、レーザー光の案内溝であり、記録時にはグルーブ３１１にデータが記録される。また、ランド３１２には、複数個のランドプリピット３１３が周期的に形成されている。ランドプリピット３１３は、所定の周期でランド上に配置される孤立ピットであり、データ記録時の位置決め、及び記録アドレス、その他の記録に必要な情報の取得に用いられる。【００８５】  新型追記型ブランクディスク１４１のグルーブ３１１は、グルーブウォブルの振幅が０である。これは、ＤＶＤ−Ｒ規格に準拠した従来のディスクと異なり、新型追記型ブランクディスク１４１の独自の特徴である。
この様に、新型追記型ブランクディスク１４１は、従来のＤＶＤ−Ｒが有する物理特性とは異なる物理特性を有する。これにより、キオスク端末１２０は、記録媒体にコンテンツデータを書き込む前に、記録媒体の物理特性としてトラックフォーマットを示す情報を取得して、それに基づき、コンテンツデータを書き込もうとしている記録媒体が、従来のＤＶＤ−Ｒであるのか、新型追記型ブランクディスク１４１であるのか判別することが可能となる。【００８６】  また、新型追記型ブランクディスク１４１は、図５（ｂ）に示すように、ポリカーボネート樹脂層３０１、記録層３０２、反射層３０３、及び保護層３０４から成る基板が、接着面３０５において、同一構造の基板であるダミー基板３０６と張り合わされた構造を有する。なお、図５（ａ）では、ダミー基板の一部しか図示していない。
図６は、新型追記型ブランクディスク１４１の断面を示した図である。同図を用いて、ポリカーボネート樹脂層３０１、記録層３０２、反射層３０３、保護層３０４、接着面３０５、及びダミー基板３０６について説明する。【００８７】  ポリカーボネート樹脂層３０１は、基板を作成するための金型であるスタンパにポリカーボネート樹脂を射出して生成される。スタンパの製造方法については後述する。
記録層３０２は、ポリカーボネート樹脂層３０１と反射層３０３とに密接している。記録層３０２は、ポリカーボネート樹脂層３０１に記録膜を塗布することにより生成される。新型追記型ブランクディスク１４１は、記録膜として、シアニン系、フタロシアニン系等の熱分解温度の低い有機色素を用いる。【００８８】  データ記録時には、レーザー光で有機色素の化学的状態を変化させることにより記録を行う。具体的には、熱により記録層３０２と隣接する基板（ポリカーボネート樹脂層３０１）とを溶解する。有機色素とポリカーボネート樹脂とが混合されることにより、反射率位相特性等の光学的特性が変化し、記録マークを形成することができる。
ここで、新型追記型ブランクディスク１４１の特徴として、Ｉｎｆｏｒｍａｔｉｏｎ  ａｒｅａの内周に存在する領域２０４、即ち、従来のＤＶＤ−Ｒ、及びＤＶＤ−ＲＷに存在するＲ−Ｉｎｆｏｒｍａｔｉｏｎ  ａｒｅａに相当する領域には、有機色素の記録膜が存在しない。【００８９】  反射層３０３は、記録層３０２に密着して設けられる。反射層３０３は、記録層３０２の反射率を高めるためのアルミ層である。反射層３０３は、ディスクプレーヤ１３０によるデータ読取時に、記録層３０２を通過した光を反射させ、ディスクプレーヤ１３０による記録信号の読み取り効率を高める。
保護層３０４は、ディスクの傷及び歪み等からデータを保護するためのＵＶ硬化樹脂の層である。【００９０】  接着面３０５は、上記のポリカーボネート樹脂層３０１、記録層３０２、反射層３０３、及び保護層３０４から構成される基板と、ダミー基板３０６とを貼り合わせた面である。貼り合わせには、例えばホットメルト接着を用いる。ダミー基板３０６は、ディスクの反りを防止することを目的としており、その為、基板と同一の構造を有する。
（新型追記型ブランクディスク１４１の論理的特性）
図７は、コンテンツデータが記録される前の新型追記型ブランクディスク１４１の論理データを示す図である。【００９１】  リードイン領域２０１には、コントロールデータが記録されている。コントロールデータには、物理フォーマット情報４０１が含まれる。
物理フォーマット情報４０１は、Ｒ／ＲＷフォーマット情報４１１、ＲＯＭフォーマット情報４１２、バージョン情報４１３、サイズ４１４、最大転送レート情報４１５、層数４１６、記録線密度４１７、トラック密度４１８、及びトラックパス方向４１９等から構成される。【００９２】  新型追記型ブランクディスク１４１の物理フォーマット情報４０１としては、上記以外の情報が含まれていてもよい。
ここで、新型追記型ブランクディスク１４１の物理フォーマット情報として特徴的なのは、以下の２点である。
（ａ）Ｒ／ＲＷフォーマット情報４１１に、全て０が記述されている。【００９３】  （ｂ）ＲＯＭフォーマット情報４１２に、ＲＯＭディスクであることを示す値が記述されている。
従来のＤＶＤ−Ｒは、Ｒ／ＲＷフォーマット情報４１１が記録されている領域には、ＤＶＤ−Ｒであることを示すビット列が記録されていた。
しかし、本願の新型追記型ブランクディスク１４１では、Ｒ／ＲＷフォーマット情報４１１が記録されている領域を全て０埋めする。これにより、キオスク端末１２０は、新型追記型ブランクディスク１４１にデータを記録する際には、当該ディスクが従来のＤＶＤ−Ｒと異なるディスクであると判断することが出来る。なお、Ｒ／ＲＷフォーマット情報４１１が全て０埋めされているのは一例であり、これ以外にも、全て１を埋め込むなど、全て同一の値を埋め込んだり、ＤＶＤ−Ｒであることを示すビット列と異なる任意の値を埋め込む等、従来のＤＶＤ−Ｒと異なるディスクであると判断することが出来るようなデータを埋め込むように構成してもよい。【００９４】  また、従来のＤＶＤ−Ｒは、物理フォーマット情報４０１に、ＲＯＭディスクであることを示す値は記述されていなかった。
しかし、本願の新型追記型ブランクディスク１４１では、追記型ディスクでありながら、ＲＯＭディスクであることを示す物理フォーマット情報を有する。
ディスクプレーヤ１３０は、ディスクの物理フォーマット情報を読み込むことにより、ディスク種別を判断するので、新型追記型ブランクディスク１４１は、コンテンツ再生時には、ディスクプレーヤ１３０にてＤＶＤ−ＲＯＭとして扱われる。【００９５】  従って、ディスクプレーヤ１３０は、ＣＳＳで保護されたコンテンツデータが、新型追記型ブランクディスク１４１に記録されている場合であっても、コンテンツデータを再生することが可能となる。
データ領域２０２は、キオスク端末１２０にて書き込まれるコンテンツデータを記録する領域である。【００９６】  データ領域２０２は、セクタ単位に区切られており、各セクタは、セクタを識別するためのセクタ番号を含むヘッダ領域と、データが記録されるデータ領域と、データ読み出し時の読み出し誤りを訂正するための符号が記録されるＥＣＣ（ＥｒｒｏｒＣｏｒｒｅｃｔｉｏｎ  Ｃｏｄｅ）領域等から構成される。
なお、従来のＤＶＤメディアと同様に、新型追記型ブランクディスク１４１のデータ領域２０２は、ファイルシステムとしてＵＤＦ（Ｕｎｉｖｅｒｓａｌ  Ｄｉｓｋ  Ｆｏｒｍａｔ）を用いる。【００９７】  新型追記型ブランクディスク１４１にコンテンツデータを記録した後の記録済みディスク１４２については後述する。
（新型追記型ブランクディスク１４１の製造方法）
図８は、新型追記型ブランクディスク１４１の製造方法を示すフローチャートである。
先ず、スタンパを作成する（ステップＳ１０１）。【００９８】  ステップＳ１０２以降では、ステップＳ１０１で作成されたスタンパを金型として用い、複数の新型追記型ブランクディスク１４１を作成していく。
先ず、ステップＳ１０１で作成されたスタンパに、ポリカーボネート樹脂を射出して、ポリカーボネート基板を生成する（ステップＳ１０２）。
次に、ポリカーボネート基板の平らな面側に、紫外線（ＵＶ）硬化樹脂を塗布した後に、紫外線を照射し、コーティングする（ステップＳ１０３）。【００９９】  次に、ステップＳ１０３でＵＶ硬化樹脂をコーティングした面とは反対側の面、即ち、グルーブ３１１、ランド３１２、及びランドプリピット３１３が形成されている面側に、スピンコート法で有機色素を塗布し、記録層を生成する（ステップＳ１０４）。
ここで、ステップＳ１０４の記録層の生成処理では、先に述べたように、ディスクのＩｎｆｏｒｍａｔｉｏｎ  ａｒｅａのみに有機色素を塗布し、Ｉｎｆｏｒｍａｔｉｏｎ  ａｒｅａの内周には、有機色素を塗布しない。このようにすることで、ＤＶＤ−Ｒが備える記憶領域であるＲ−Ｉｎｆｏｒｍａｔｉｏｎ  ａｒｅａを備えない新型追記型ブランクディスク１４１を製造することが出来る。【０１００】  続いて、スパッタリング法を用いて、記録層の上に反射層を生成する（ステップＳ１０５）。
次に、ＵＶ硬化樹脂でオーバコートして保護層を生成する（ステップＳ１０６）。
続いて、ディスクの反りを防止するために、ダミー基板を張り合わせてディスク自体が完成する（ステップＳ１０７）。【０１０１】  そして、完成したディスクに、記録層を初期化するために、結晶化温度に加熱し結晶化を行う（ステップＳ１０８）。
最後に、ディスクをプリフォーマットして（ステップＳ１０９）、新型追記型ブランクディスク１４１が完成する。プリフォーマットとは、完成したディスク毎に、各ディスクに固有の識別情報や鍵情報等を書き込む処理である。【０１０２】  なお、新型追記型ブランクディスク１４１に、ディスク固有の情報を書き込む必要が無い場合には、ステップＳ１０９のプリフォーマットの処理を省略してもよい。
（スタンパの作成）
図９は、スタンパ製造工程を示すフローチャートである。なお、ここに示す処理は、図８のステップＳ１０１の詳細である。【０１０３】  先ず、原盤にするガラス板表面を研磨、洗浄する（ステップＳ２０１）。
次に、ガラス板表面に感光剤（レジスト）と塗布する（ステップＳ２０２）。
そして、レジストの塗布面に、トラック及びピットの形状が残るように、レーザービームを露光して、カッティングを行う（ステップＳ２０３）。
ステップＳ２０３では、図５（ｂ）に示したグルーブ３１１、ランド３１２、及び複数個のランドプリピット３１３が形成されるように、カッティングを行う。更に、ステップＳ２０３では、Ｒ／ＲＷ物理フォーマット情報が記録される領域を全て０埋めするようにカッティングを行う。【０１０４】  その後、レジスト部を現像、及び洗浄することにより（ステップＳ２０４）、表面にレジスト残部による凹凸上のトラック及びピットが形成された原盤が出来上がる。
続いて、原盤のトラック及びピット面に、スパッタリング法でニッケルの薄膜を付着させる（ステップＳ２０５）。
その後、ニッケルの薄膜上にニッケルメッキを施し、電鋳ニッケルメッキ層を形成する（ステップＳ２０６）。【０１０５】  最後に、ニッケルメッキ層を原盤から剥離させ（ステップＳ２０７）、洗浄、及び研磨することにより、ニッケル製のスタンパが完成する（ステップＳ２０８）。
（記録済みディスク１４２の論理的特性）
図１０は、キオスク端末１２０にて、新型追記型ブランクディスク１４１にコンテンツデータを記録した後の、記録済みディスク１４２の論理データを示す図である。【０１０６】  記録済みディスク１４２のリードイン領域には、図７で説明した物理フォーマット情報４０１に加え、コンテンツプロバイダ情報４０２と暗号化ディスク鍵セット４０３とが記録されている。
コンテンツプロバイダ情報４０２と暗号化ディスク鍵セット４０３とは、キオスク端末１２０が、新型追記型ブランクディスク１４１にコンテンツデータを書き込む際に、キオスク端末１２０にて書き込まれる。【０１０７】  従来のＤＶＤ−ＲＯＭでは、コンテンツプロバイダ情報は、製造時に予めリードイン領域に記録される。また、従来のＤＶＤ−Ｒでは、コンテンツプロバイダ情報がリードイン領域に記録されることはない。
従って、本願の新型追記型ブランクディスク１４１は、データ記録後（記録済みディスク１４２）においては、リードイン領域にコンテンツプロバイダ情報が記録され、ＲＯＭディスクと同じ論理的特性を有する。ディスクプレーヤ１３０は、記録済みディスク１４２をＤＶＤ−ＲＯＭと判断するので、記録済みディスク１４２に記録されているＣＳＳで保護されたコンテンツデータを再生することができる。【０１０８】  記録済みディスク１４２のデータ領域は、ファイルシステムとしてＵＤＦを用い、コンテンツデータを管理する。
図１０に示すように、データ領域には、ボリューム・ファイル管理情報４０４を先頭に、コンテンツデータ＃１ファイル４０５、…、コンテンツデータ＃Ｎファイル４０６、…が記録される。【０１０９】  ボリューム・ファイル管理情報４０４は、ボリューム記述子４２１、パステーブル４２２、及びディレクトリレコード４２３を含む。
ボリューム記述子４２１は、ボリューム空間のサイズ、パステーブル４２２の記録位置情報、ディレクトリレコード４２３の記録位置情報などが記述されている。
パステーブル４２２は、記録済みディスク１４２に記録されている全てのディレクトリのパスと記録位置情報とを対応付けたテーブルである。【０１１０】  ディレクトリレコード４２３は、各ディレクトリ又は各ファイルの識別子、データの記録位置情報、ファイルのサイズ、ファイルの属性等が記述されている。より具体的には、ディレクトリレコード４２３は、ルートディレクトリ用ディレクトリレコード（第１セクタ）４３１、ルートディレクトリ用ディレクトリレコード（第２セクタ）４３２、コンテンツデータ＃１ファイル用ディレクトリレコード４３３、…、コンテンツデータ＃Ｎファイル用ディレクトリレコード４３４から構成される。【０１１１】  コンテンツデータ＃Ｎファイル４０６は、暗号化タイトル鍵４４１と暗号化コンテンツ４４２とを含む。
ＣＳＳは、先に述べたように、タイトル鍵、ディスク鍵、及びマスタ鍵の３種類の４０ビット暗号鍵が階層的に使用される。
タイトル鍵はコンテンツの暗号化に用いられ、ディスク鍵はタイトル鍵の暗号化に用いられ、マスタ鍵はディスク鍵の暗号化に用いられる。なお、マスタ鍵は、ＣＳＳ機器製造ライセンス受領者に対して個別に与えられる鍵であり、本実施形態では、ディスクプレーヤ１３０がセキュアに実装している。【０１１２】  従って、ディスクプレーヤ１３０にて暗号化コンテンツ４４２を復号する際には、先ず、ディスクプレーヤ１３０は、セキュアに保持しているマスタ鍵を復号鍵として用いて暗号化ディスク鍵を復号し、ディスク鍵を生成する。次に、ディスク鍵を復号鍵として用いて暗号化タイトル鍵を復号し、タイトル鍵を生成する。続いて、タイトル鍵を復号鍵として用いて暗号化コンテンツ４４２を復号し、コンテンツを生成する。【０１１３】  （新型追記型ブランクディスク１４１の変形例）
ここでは、新型追記型ブランクディスク１４１の変形例について説明する。
（ａ）第１の変形例
第１の変形例に係る新型追記型ブランクディスクの基本仕様は、新型追記型ブランクディスク１４１と同様である。【０１１４】  また、第１の変形例に係る新型追記型ブランクディスクは、図６を用いて説明した新型追記型ブランクディスク１４１と同一のポリカーボネート樹脂層３０１、記録層３０２、反射層３０３、保護層３０４、接着面３０５、及びダミー基板３０６から構成される。
図１１は、第１の変形例に係る新型追記型ブランクディスクのトラックフォーマットを説明するための模式図である。【０１１５】  第１の変形例に係る新型追記型ブランクディスクは、ランド及びグルーブの無い平らなディスク上に、複数個のアドレス用ピット３１３ａが形成されている。
図１２は、アドレス用ピット３１３ａの配置を模式的に示している。アドレス用ピット３１３ａは、ディスクの内周から外周にかけてトラックピッチを形成するように、螺旋状に、所定間隔で配置されている。【０１１６】  キオスク端末１２０によるデータ記録時には、このように配置されたアドレス用ピット３１３ａを用いて、記録位置の決定を行う。
第１の変形例に係る新型追記型ブランクディスクは、「トラックフォーマットがＬａｎｄ＆Ｇｒｏｏｖｅでない」という点で、新型追記型ブランクディスク１４１と異なる以外は、その他の物理特性、及び論理特性は、新型追記型ブランクディスク１４１と同様であるとする。【０１１７】  第１の変形例に係る新型追記型ブランクディスクの製造方法は、図８及び図９で説明した新型追記型ブランクディスク１４１の製造方法と概ね同様であるが、図９のステップＳ２０３「カッティング」の処理が異なる。
第１の変形例に係る新型追記型ブランクディスクのスタンパ作成処理では、ステップＳ２０３のカッティング処理において、ランド及びグルーブが無く、複数個のアドレス用ピットが形成されるようにカッティングを行う。【０１１８】  第１の変形例に係る新型追記型ブランクディスクは、トラックフォーマットが明らかに従来のＤＶＤ−Ｒと異なるため、キオスク端末１２０は、記録媒体にコンテンツデータを書き込む前に、記録媒体の物理特性としてトラックフォーマットを示す情報を取得して、それに基づき、コンテンツデータを書き込もうとしている記録媒体が、従来のＤＶＤ−Ｒであるのか、新型追記型ブランクディスクであるのか判別することが可能となる。【０１１９】  また、第１の変形例に係る新型追記型ブランクディスクは、図７に示した物理フォーマット情報４０１を保持していることから、コンテンツ再生時には、ディスクプレーヤ１３０にてＤＶＤ−ＲＯＭとして扱われる。従って、ディスクプレーヤ１３０は、ＣＳＳで保護されたコンテンツデータが、第１の変形例に係る新型追記型ブランクディスクに記録されている場合であっても、コンテンツデータを再生することが可能となる。【０１２０】  （ｂ）第２の変形例
第２の変形例に係る新型追記型ブランクディスクの基本仕様は、新型追記型ブランクディスク１４１と同様である。
また、第２の変形例に係る新型追記型ブランクディスクは、図６を用いて説明した新型追記型ブランクディスク１４１と同一のポリカーボネート樹脂層３０１、記録層３０２、反射層３０３、保護層３０４、接着面３０５、及びダミー基板３０６から構成される。【０１２１】  図１３は、第２の変形例に係る新型追記型ブランクディスクのトラックフォーマットを説明するための模式図である。
第２の変形例に係る新型追記型ブランクディスクは、螺旋状にグルーブ３１１ｂ、及びランド３１２ｂを有し、ランド３１２ｂ上には、複数個のランドプリピット３１３ｂが周期的に配置されている。トラックピッチは、０．７４μｍである。【０１２２】  なお、図１３に示すように、グルーブ３１１ｂはウォブリングされている。
図１４は、第２の変形例に係る新型追記型ブランクディスクのグルーブウォブルについて説明するための図である。
図１４（ａ）に示すように、従来のＤＶＤ−Ｒは、トラックフォーマットとしてランド＆グルーブを用いている。ディスク上にはグルーブ５０１及びランド５０２が形成されており、ランド上には、所定周期で複数個のランドプリピット５０３が形成されている。【０１２３】  そして、従来のＤＶＤ−Ｒのグルーブウォブルの周波数は、１４０．６４５ｋＨｚである。これは、ＤＶＤ−Ｒ規格により規定された値である。
一方で、図１４（ｂ）に示すように、第２の変形例に係る新型追記型ブランクディスクのグルーブウォブルの周波数は、２８０ｋＨｚである。
第２の変形例に係る新型追記型ブランクディスクは、グルーブがウォブリングされているという点で新型追記型ブランクディスク１４１と異なる以外は、その他の物理特性、及び論理特性は、新型追記型ブランクディスク１４１と同様であるとする。【０１２４】  第２の変形例に係る新型追記型ブランクディスクの製造方法は、図８及び図９で説明した新型追記型ブランクディスク１４１の製造方法と概ね同様であるが、図９のステップＳ２０３「カッティング」の処理が異なる。
第２の変形例に係る新型追記型ブランクディスクのスタンパ作成処理では、ステップＳ２０３のカッティング処理において、周波数２８０ｋＨｚでウォブリングされたグルーブ、ランド、及び複数個のランドプリピットが形成されるようにカッティングを行う。【０１２５】  第２の変形例に係る新型追記型ブランクディスクは、グルーブウォブルの周波数が明らかに従来のＤＶＤ−Ｒと異なるため、キオスク端末１２０は、記録媒体にコンテンツデータを書き込む前に、記録媒体の物理特性としてグルーブウォブルの周波数を取得して、それに基づき、コンテンツデータを書き込もうとしている記録媒体が、従来のＤＶＤ−Ｒであるのか、新型追記型ブランクディスクであるのか判別することが可能となる。【０１２６】  また、第２の変形例に係る新型追記型ブランクディスクは、図７に示した物理フォーマット情報４０１を保持していることから、コンテンツ再生時には、ディスクプレーヤ１３０にてＤＶＤ−ＲＯＭとして扱われる。従って、ディスクプレーヤ１３０は、ＣＳＳで保護されたコンテンツデータが、第２の変形例に係る新型追記型ブランクディスクに記録されている場合であっても、コンテンツデータを再生することが可能となる。【０１２７】  なお、第２の変形例に係る新型追記型ブランクディスクは、グルーブウォブルの周波数が２８０ｋＨｚとしたのは、一例であり、これ以外の周波数でウォブリングされていてもよい。例えば、新型追記型ブランクディスクのウォブル周波数は、７０ｋＨｚ等、従来のＤＶＤ−Ｒのウォブル周波数＝１４０．６４５ｋＨｚの分数倍や整数倍の値に設定してもよい。更には、１４０．６４５ｋＨｚの分数倍や整数倍に限らず、コンテンツデータを書き込むキオスク端末１２０にて、ＤＶＤ−Ｒのグルーブウォブルと区別できる値であればよい。【０１２８】  ＜その他の変形例＞
なお、本発明を、上記の実施形態に基づき説明してきたが、本発明は上記の実施形態に限定されないのは勿論であり、以下のような場合も、本発明に含まれる。
（１）上記の実施形態では、コンテンツＤＢ１１１が、暗号化コンテンツデータ、暗号化タイトル鍵、及び暗号化ディスク鍵セットを関連付けて管理する構成を有しているが、本発明は、この構成に限定されず、キオスク端末１２０にて、新型追記型ブランクディスクに、これらのデータを書き込む前に、上記３つのデータが揃っていればよい。【０１２９】  例えば、暗号化ディスク鍵セットは予め、新型追記型ブランクディスク１４１のリードイン領域に記録されていてもよい。この場合、ステップＳ５（図３）にて、キオスク端末１２０はディスクから読み出した暗号化ディスク鍵をコンテンツ配信サーバ１１０に送信する。コンテンツ配信サーバ１１０は、キオスク端末１２０から受信した暗号化ディスク鍵を、自身が保持するマスタ鍵で復号した上で、要求されたコンテンツのＡＶデータを暗号化しているタイトル鍵を暗号化して暗号化タイトル鍵を作成する。その後、作成した暗号化タイトル鍵と、暗号化コンテンツデータをキオスク端末１２０に送信する。この時、タイトル鍵の暗号化処理を、キオスク端末１２０で行っても構わない。【０１３０】  また、コンテンツＤＢ１１１では平文のＡＶデータしか扱わず、コンテンツデータの暗号化、タイトル鍵の作成、及び暗号化をキオスク端末１２０で行っても構わない。また、この暗号化ディスク鍵がリードイン領域に記録されていることを、ディスクの論理特性として、Ｓ２のディスク識別を行っても構わない。あるいは、キオスク端末１２０がマスタ鍵を保持し、当該マスタ鍵で復号した結果として得られたタイトル鍵を、安全な通信路でコンテンツ配信サーバ１１０に送信する構成であってもよい。【０１３１】  （２）また、上記の実施形態では、ステップＳ５において、キオスク端末１２０とコンテンツ配信サーバ１１０と間で認証処理を行っているが、コンテンツデータが正規のディスクに記録されることが保証できれば、これに限らない。
例えば、予め、新型追記型ブランクディスク１４１にディスク証明書を記録しておき、コンテンツ配信サーバ１１０で新型追記型ブランクディスク１４１を認証してもよい。【０１３２】  また、この場合には、キオスク端末１２０は、「ディスク内に、ディスク証明書が記録されている」という論理特性用いて、ステップ２のディスク識別を行ってもよい。
更に、前記ディスク証明書は、新型追記型ブランクディスク１４１を識別する識別子（例えばメディアＩＤ）に基づいて保護されている構成であってもよい。この保護の方法としては、識別子に基づき証明書を暗号化してもよいし、識別子に基づきディスク証明書の認証子を生成して記録してもよい。これら以外にも、広く一般に使用されている公知の保護技術を用いてもよい。【０１３３】  更に、前記ディスク証明書は、証明書自身（証明書のエントリー）に識別子、又は識別子に基づくデータを書き込み、証明書とディスクとを１対１に対応付ける構成であってもよい。
更に、識別子の一部を、ディスク製造メーカを識別するＩＤと対応付けてもよい。この場合、識別子の一部が、ディスク製造メーカを識別するＩＤと一致することを利用して、証明書とディスクとをユニークに１対１に対応付けるのではなく、ある製造数単位毎に、又はディスク製造メーカごとに証明書を対応付ける構成であってもよい。【０１３４】  このような構成で証明書とディスクとを対応付けることにより、証明書を不正にコピーして使い回すという不正行為を防止することが可能となる。
更に、証明書に限らず、証明書と同等の効果を有し、その正当性が検証可能なデータであれば如何なる構成であってもよい。
（３）上記の実施形態では、新型追記型ブランクディスク１４１は、ＤＶＤと互換性のあるディスクとしているが、本発明に係る新型追記型ブランクディスクは、Ｂｌｕ−ｒａｙディスク等、他の記録型ディスクであってもよい。【０１３５】  なお、この場合であっても、新型追記型ブランクディスク１４１は、データ書き込み時には、追記型ディスクとして認識され、データ記録後は、出荷済みのプレーヤで再生可能な物理特性、論理特性、若しくはその両方の特性を持つものとする。
（４）上記の実施形態では、新型追記型ブランクディスク１４１は、追記型ディスクとしているが、データ記録後、出荷済みのプレーヤで再生可能なディスクとして認識される特性を持つのであれば、書換型ディスクでもよい。【０１３６】  （５）上記の実施形態では、物理特性、論理特性、又はその両方を用いてディスクを識別する構成としたが、本発明はこの構成に限定されるものではない。
例えば、コンテンツの再生に必要なプログラム、又はその一部を予めディスクに記録しておき、当該プログラム、又はその一部の有無により、ディスクの識別を行う構成であってもよい。また、前記プログラム、又はその一部の正当性を検証することによりディスクの識別を行う構成であってもよい。【０１３７】  前記プログラム、又はその一部を動作させることによってディスクの識別を行うように構成してもよいし、前記プログラム、又はその一部に付与されている署名を検証することによりディスクの識別を行うように構成してもよい。
更に、前記プログラム、又はその一部は、新型追記型ブランクディスクを識別する識別子（例えばメディアＩＤ）に基づいて保護されている構成であってもよい。この保護の方法としては、識別子に基づきプログラム、又はその一部を暗号化してもよいし、識別子に基づきプログラム、又はその一部の認証子を生成して記録してもよい。また、これら以外にも、広く一般に使用されている公知の保護技術を用いて実現してもよい。【０１３８】  さらに、プログラム、又はその一部に識別子、又は識別子に基づくデータを書き込み、プログラム、又はその一部とディスクを１対１に対応付ける構成であってもよい。
さらに、識別子の一部がディスク製造メーカを識別するＩＤと一致することを利用して、１対１ではなく、ある製造数単位、又はディスク製造メーカごとにプログラム、又はその一部を対応付ける構成であってもよい。【０１３９】  このような構成でプログラム、又はその一部とディスクとを関連付けることにより、不正にプログラム、又はその一部をコピーして使いまわす不正を防止することが可能となる。
（６）上記の実施形態では、キオスク端末１２０は、ネットワーク１４０を介して、コンテンツ配信サーバ１１０からコンテンツデータを取得する構成を有しているが、キオスク端末１２０は、新型追記型ブランクディスク１４１に書き込むデータを取得できれば、この構成に限定されない。例えば、キオスク端末１２０は、ＨＤＤなどの記録媒体を用いてコンテンツデータを取得する構成であってもよい。【０１４０】  （７）上記の実施形態では、ディスク上のコンテンツの著作権保護技術としてＣＳＳを用いているが、コンテンツの著作権を保護するための技術であれば、これに限るものではなく、例えばＡＡＣＳ（Ａｄｖａｎｃｅｄ  Ａｃｃｅｓｓ  Ｃｏｎｔｅｎｔ  Ｓｙｓｔｅｍ）を用いてもよい。
その場合、ＡＡＣＳに関連する鍵データ（例えばＭＫＢ）を予め新型追記型ブランクディスク１４１に記録しておき、ＭＫＢの有無により、ディスク識別を行う構成であってもよい。また、ＭＫＢが備える識別子を利用して、ディスク識別を行う構成あってもよい。【０１４１】  また、上記の実施形態で用いるＣＳＳは、マスタ鍵でディスク鍵を暗号化し、ディスク鍵でタイトル鍵を暗号化し、タイトル鍵でコンテンツを暗号化する３階層であった。しかし、本発明は、その構成に限定されるものではない。
本発明は、新たな鍵を導入して３階層以上の構成としてもよいし、ディスク鍵で直接コンテンツを暗号化するなど、２階層、又は１階層の構成であってもよい。【０１４２】  （８）上記の実施形態では、ユーザが直接入力等を行うキオスク端末１２０を用いて、ディスクへコンテンツデータの書き込みを行う構成としたが、この構成は必須ではない。
ディスクにコンテンツデータを書き込む端末装置は、キオスク端末１２０のように、ユーザが自ら操作する端末装置に限らず、ユーザから書き込み依頼を受けた店員等が使用する端末装置であってもよい。【０１４３】  （９）また、本発明において、ディスクにコンテンツデータを書き込む端末装置は、キオスク端末１２０のように店頭に設置される機器ではなく、ＤＶＤレコーダ等の民生機器であってもよい。
この場合、端末装置は、課金部１２０６を備えずに、別途インターネット経由等でクレジットカード等による決済を行う決済処理部を備えるように構成してもよい。【０１４４】  また、この場合の端末装置は、表示部１２１２を備えず、テレビ等の外部の映像装置に映像を出力する映像出力部を備える。また、この場合、操作部１２１１はリモコンとなる。
端末装置は、映像出力部に接続されたテレビ等の映像装置に情報を表示し、ユーザは映像装置の情報を見ながら、リモコンを使って操作を行う。【０１４５】  なお、この場合の端末装置の動作は、図３及び図４で示したキオスク端末の動作と同様であるが、ステップＳ４で行うユーザからの課金受付は、決済処理部にてインターネット経由でクレジットカード等による決済を行うものとする。
この構成を有することにより、ユーザは店頭に出向くことなく、新しいＤＶＤタイトルを購入することが可能となる。なお、決済処理部は、端末装置内部の構成要素であることは必須ではなく、端末装置に付随する別個の装置として実現するように構成してもよい。【０１４６】  （１０）ディスクプレーヤ１３０は、ＤＶＤレコーダ等の従来からある民生機器を用いることが出来る。それは、先に説明したように、従来からある民生機器は、新型追記型ブランクディスク１４１にデータを記録した記録済みディスク１４２を、ＤＶＤ−ＲＯＭと認識するからである。
しかしながら、ディスクプレーヤ１３０は、従来からある民生機器が備える機能部（媒体入出力部、デコード部、再生部、ネットワーク接続部、操作入力部、映像出力部等）に加え、上記の実施形態で説明したキオスク端末１２０が備えるディスク識別部１２０１、論理特性取得部１２０２、及び物理特性取得部１２０３と同様の機能部を備えるように構成してもよい。【０１４７】  具体的に、ディスクプレーヤ１３０の物理特性取得部は、ディスクドライブで構成され、論理特性取得部及びディスク識別部は、ＣＰＵ及びワークメモリを使って動作するソフトウェアであるとする。
ディスクプレーヤ１３０は、自装置にディスクが挿入されると、キオスク端末１２０が図３のステップＳ２で行うディスク識別処理と同様の処理を行うことにより、挿入されたディスクの種別を識別する。【０１４８】  そして、ディスク識別処理の結果、挿入されたディスクが新型の記録済みディスク１４２であると判定されると、ディスクプレーヤ１３０は、挿入されたディスクをＤＶＤ−ＲＯＭとして扱い、ＤＶＤ−ＲＯＭと同様の再生処理を行うように構成してもよい。
（１１）上記の実施形態に含まれる各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。【０１４９】  ここでコンピュータプログラムは、所定の機能を達成するために、コンピュータに対する指令を示す命令コードが複数個組み合わされて構成されたものである。
なお、各装置は、マイクロプロセッサ、ＲＯＭ、ＲＡＭ、ハードディスクユニット、ディスプレイユニット、キーボード、マウスなどの全てを含むコンピュータシステムに限らず、これらの一部から構成されているコンピュータシステムであってもよい。【０１５０】  （１２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。【０１５１】  また、上記の各装置を構成する構成要素の各部は、個別に１チップ化されていても良いし、一部又は全てを含むように１チップ化されてもよい。
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。【０１５２】  更には、半導体技術の進歩又は派生する別技術によりＬＳＩに置き換わる集積回路化の技術が登場すれば、当然、その技術を用いて機能ブロックの集積化を行ってもよい。バイオ技術の適用などが可能性としてあり得る。
（１３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。【０１５３】  （１４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。【０１５４】  また、本発明は、前記コンピュータプログラムまたは前記デジタル信号を、電気通信回線、無線または有線通信回線、インターネットを代表とするネットワーク、データ放送等を経由して伝送するものとしてもよい。
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。【０１５５】  また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
（１５）上記実施形態及び上記変形例をそれぞれ組み合わせるとしてもよい。
【産業上の利用可能性】
【０１５６】  本発明は、従来あるＣＳＳ技術を用いたコンテンツを、キオスク端末を用いてユーザに販売する産業において利用することが可能である。
また、本発明に係る新型追記型ブランクディスクを製造及び販売する産業においても利用することが可能である。
【図１】
2008016008.tif 000003
【図２】
2008016008.tif 000004
【図３】
2008016008.tif 000005
【図４】
2008016008.tif 000006
【図５】
2008016008.tif 000007
【図６】
2008016008.tif 000008
【図７】
2008016008.tif 000009
【図８】
2008016008.tif 000010
【図９】
2008016008.tif 000011
【図１０】
2008016008.tif 000012
【図１１】
2008016008.tif 000013
【図１２】
2008016008.tif 000014
【図１３】
2008016008.tif 000015
【図１４】
2008016008.tif 000016
【手続補正書】
【提出日】平成19年11月23日(2007.11.23)
【手続補正１】
【補正対象書類名】特許請求の範囲
【補正対象項目名】全文
【補正方法】変更
【補正の内容】
【特許請求の範囲】
【請求項１】
ＤＶＤ−Ｒ規格で規定されていない媒体特性を有し、ＤＶＤ−ＲＯＭ規格と互換性を有することを特徴とする追記型の記録媒体。
【請求項２】
前記媒体特性として、ＤＶＤ−Ｒ規格で規定されていない物理特性を有することを特徴とする請求項１に記載の追記型の記録媒体。
【請求項３】
前記ＤＶＤ−Ｒ規格で規定されていない物理特性として、グルーブウォブルの振幅が０であるグルーブ、ランド、及びピット群が形成された記録層を備えることを特徴とする請求項２に記載の追記型の記録媒体。
【請求項４】
前記ＤＶＤ−Ｒ規格で規定されていない物理特性として、ＤＶＤ−Ｒ規格で規定されているグルーブウォブルの周波数と異なる周波数でウォブリングされたグルーブ、ランド、及びピット群が形成された記録層を備えることを特徴とする請求項２に記載の追記型の記録媒体。
【請求項５】
（削除）
【請求項６】
（削除）
【請求項７】
（削除）
【請求項８】
前記媒体特性として、ＤＶＤ−Ｒ規格で規定されていない論理特性を有することを特徴とする請求項１に記載の追記型の記録媒体。
【請求項９】
前記ＤＶＤ−Ｒ規格で規定されていない論理特性として、リードイン領域内のＲ／ＲＷ物理フォーマット情報が記録されている領域に、ＤＶＤ−Ｒを示す値とは異なる値が埋め込まれていることを特徴とする請求項８に記載の追記型の記録媒体。
【請求項１０】
リードイン領域内のＲ／ＲＷ物理フォーマット情報が記録されている領域に、全て同じ値が埋め込まれていることを特徴とする請求項９に記載の追記型の記録媒体。
【請求項１１】
リードイン領域に記録されている物理フォーマット情報に、ＲＯＭディスクであることを示す値が記録されていることを特徴とする請求項１に記載の追記型の記録媒体。
【請求項１２】
外部の記録媒体から、前記記録媒体の特性を取得する取得手段と、
取得した前記特性に基づき、前記記録媒体が、請求項１に記載の追記型の記録媒体であるか否かを判定する判定手段と、
前記判定手段による判定の結果が肯定的である場合に、前記記録媒体にデータを書き込む書込手段と
を備えることを特徴とするデータ記録装置。
【請求項１３】
前記書込手段は、前記データが、ＣＳＳ（Ｃｏｎｔｅｎｔ  Ｓｃｒａｍｂｌｉｎｇ  Ｓｙｓｔｅｍ）で保護されたＤＶＤ−Ｖｉｄｅｏ規格に準拠したデータであるか否かを判定し、前記データが、ＣＳＳで保護されたＤＶＤ−Ｖｉｄｅｏ規格に準拠したデータである場合は、前記判定手段による前記判定の結果が肯定的である場合にのみ、前記記録媒体に前記データを書き込む
ことを特徴とする請求項１２に記載のデータ記録装置。
【請求項１４】
前記書込手段は、前記判定手段による判定の結果が肯定的である場合に、前記記録媒体のリードイン領域に、コンテンツプロバイダ情報を書き込む
ことを特徴とする請求項１３に記載のデータ記録装置。
【請求項１５】
前記取得手段は、前記記録媒体から物理特性を取得し、
前記判定手段は、取得した前記物理特性に基づき、前記記録媒体が、請求項１に記載の追記型の記録媒体であるか否かを判定する
ことを特徴とする請求項１２に記載のデータ記録装置。
【請求項１６】
前記取得手段は、前記物理特性としてグルーブウォブルの振幅を取得し、
前記判定手段は、取得した前記振幅が０である場合に、前記記録媒体が請求項１に記載の追記型の記録媒体であると判定する
ことを特徴とする請求項１５に記載のデータ記録装置。
【請求項１７】
前記取得手段は、前記物理特性としてグルーブウォブルの周波数を取得し、
前記判定手段は、取得した前記周波数が、ＤＶＤ−Ｒ規格で規定されているグルーブウォブルの周波数と異なる場合に、前記記録媒体が請求項１に記載の追記型の記録媒体であると判定する
ことを特徴とする請求項１５に記載のデータ記録装置。
【請求項１８】
前記判定手段は、取得した前記周波数が、ＤＶＤ−Ｒ規格で規定されているグルーブウォブルの周波数の整数倍又は分数倍である場合に、前記記録媒体が請求項１７に記載の追記型の記録媒体であると判定する
ことを特徴とする請求項１７に記載のデータ記録装置。
【請求項１９】
前記取得手段は、前記物理特性として、前記記録媒体のトラックフォーマットを示す情報を取得し、
前記判定手段は、取得した前記情報に基づき、前記記録媒体にグルーブ及びランドが存在しないと判断する場合に、前記記録媒体が請求項１に記載の追記型記録媒体であると判定する
ことを特徴とする請求項１５に記載のデータ記録装置。
【請求項２０】
前記取得手段は、リードイン領域の内周部分から前記物理特性を取得し、
前記判定手段は、リードイン領域の内周部分に、記録層が存在しない場合に、前記記録媒体が請求項１に記載の追記型の記録媒体であると判定する
ことを特徴とする請求項１５に記載のデータ記録装置。
【請求項２１】
前記取得手段は、前記記録媒体から論理特性を取得し、
前記判定手段は、取得した前記論理特性に基づき、前記記録媒体が請求項１に記載の追記型の記録媒体であるか否かを判定する
ことを特徴とする請求項１２に記載のデータ記録装置。
【請求項２２】
前記取得手段は、Ｒ／ＲＷ物理フォーマット情報が記録されている領域からフォーマット情報を取得し、
前記判定手段は、取得した前記フォーマット情報がＤＶＤ−Ｒを示す値と異なる値である場合に、前記記録媒体が請求項１に記載の追記型の記録媒体であると判定する
ことを特徴とする請求項２１に記載のデータ記録装置。
【請求項２３】
前記判定手段は、取得した前記フォーマット情報が全て同じ値である場合に、前記記録媒体が請求項１に記載の追記型の記録媒体であると判定する
ことを特徴とする請求項２２に記載のデータ記録装置。
【請求項２４】
前記取得手段は、前記記録媒体から物理フォーマット情報を取得し、
前記判定手段は、前記物理フォーマット情報にＲＯＭディスクであることを示す値が記録されている場合に、前記記録媒体が請求項１に記載の追記型の記録媒体であると判定する
ことを特徴とする請求項２１に記載のデータ記録装置。
【請求項２５】
前記データ記録装置は、
外部の記録媒体を装着して、前記記録媒体を自装置内に取り込む媒体入力手段と、
前記判定手段により、前記記録媒体が請求項１に記載の追記型の記録媒体でないと判定された場合に、前記媒体入力手段を動作させて、前記記録媒体を自装置外に排出する制御手段と
を備えることを特徴とする請求項１２に記載のデータ記録装置。
【請求項２６】
前記書込手段は、請求項１に記載の追記型の記録媒体の前記媒体特性を用いて、前記記録媒体に前記データを書き込む
ことを特徴とする請求項１２に記載のデータ記録装置。
【請求項２７】
前記書込手段は、前記媒体特性として、ＤＶＤ−Ｒ規格で規定されているグルーブウォブルの周波数とは異なる規定値に設定された請求項１に記載の追記型の記録媒体のグルーブウォブルの周波数を用いて、前記記録媒体に前記データを書き込む
ことを特徴とする請求項２６に記載のデータ記録装置。
【請求項２８】
請求項１に記載の追記型の記録媒体のグルーブウォブルの周波数を示す前記規定値は、ＤＶＤ−Ｒ規格で規定されているグルーブウォブルの周波数の整数倍である
ことを特徴とする請求項２７に記載のデータ記録装置。
【請求項２９】
外部の記録媒体から、前記記録媒体の特性を取得する取得手段と、
取得した前記特性に基づき、前記記録媒体が請求項１に記載の追記型の記録媒体であるか否か判定する判定手段と、
前記判定手段の結果が肯定的である場合に、前記記録媒体に記録されているデータを再生する再生手段と
を備えることを特徴とするデータ再生装置。
【請求項３０】
データ記録装置で用いられるデータ記録方法であって、
外部の記録媒体から、前記記録媒体の特性を取得する取得ステップと、
取得した前記特性に基づき、前記記録媒体が、請求項１に記載の追記型の記録媒体であるか否かを判定する判定ステップと、
前記判定ステップによる判定の結果が肯定的である場合に、前記記録媒体にデータを書き込む書込ステップと
を含むことを特徴とするデータ記録方法。
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
外部の記録媒体から、前記記録媒体の特性を取得する取得手段と、
取得した前記特性に基づき、前記記録媒体が、ＤＶＤ−Ｒ規格で規定されていない媒体特性を有し、かつ、ＤＶＤ−ＲＯＭ規格と互換性を有する追記型の記録媒体であるか否かを判定する判定手段と、
前記判定手段による判定の結果が肯定的である場合に、前記記録媒体にデータを書き込む書込手段と
を備えることを特徴とするデータ記録装置。
【請求項２】
前記書込手段は、前記データが、ＣＳＳ（Ｃｏｎｔｅｎｔ Ｓｃｒａｍｂｌｉｎｇ  Ｓｙｓｔｅｍ）で保護されたＤＶＤ−Ｖｉｄｅｏ規格に準拠したデータであるか否かを判定し、前記データが、ＣＳＳで保護されたＤＶＤ−Ｖｉｄｅｏ規格に準拠したデータである場合は、前記判定手段による前記判定の結果が肯定的である場合にのみ、前記記録媒体に前記データを書き込む
ことを特徴とする請求項１に記載のデータ記録装置。
【請求項３】
前記書込手段は、前記判定手段による判定の結果が肯定的である場合に、前記記録媒体のリードイン領域に、コンテンツプロバイダ情報を書き込む
ことを特徴とする請求項２に記載のデータ記録装置。
【請求項４】
前記取得手段は、前記記録媒体から物理特性を取得し、
前記判定手段は、取得した前記物理特性に基づき、前記記録媒体が、ＤＶＤ−Ｒ規格で規定されていない媒体特性を有し、かつ、ＤＶＤ−ＲＯＭ規格と互換性を有する追記型の記録媒体であるか否かを判定する
ことを特徴とする請求項１に記載のデータ記録装置。
【請求項５】
前記取得手段は、前記物理特性としてグルーブウォブルの振幅を取得し、
前記判定手段は、取得した前記振幅が０である場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項４に記載のデータ記録装置。
【請求項６】
前記取得手段は、前記物理特性としてグルーブウォブルの周波数を取得し、
前記判定手段は、取得した前記周波数が、ＤＶＤ−Ｒ規格で規定されているグルーブウォブルの周波数と異なる場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項４に記載のデータ記録装置。
【請求項７】
前記判定手段は、取得した前記周波数が、ＤＶＤ−Ｒ規格で規定されているグルーブウォブルの周波数の整数倍又は分数倍である場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項６に記載のデータ記録装置。
【請求項８】
前記取得手段は、前記物理特性として、前記記録媒体のトラックフォーマットを示す情報を取得し、
前記判定手段は、取得した前記情報に基づき、前記記録媒体にグルーブ及びランドが存在しないと判断する場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項４に記載のデータ記録装置。
【請求項９】
前記取得手段は、リードイン領域の内周部分から前記物理特性を取得し、
前記判定手段は、リードイン領域の内周部分に、記録層が存在しない場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項４に記載のデータ記録装置。
【請求項１０】
前記取得手段は、前記記録媒体から論理特性を取得し、
前記判定手段は、取得した前記論理特性に基づき、前記記録媒体が、ＤＶＤ−Ｒ規格で規定されていない媒体特性を有し、かつ、ＤＶＤ−ＲＯＭ規格と互換性を有する追記型の記録媒体であるか否かを判定する
ことを特徴とする請求項１に記載のデータ記録装置。
【請求項１１】
前記取得手段は、Ｒ／ＲＷ物理フォーマット情報が記録されている領域からフォーマット情報を取得し、
前記判定手段は、取得した前記フォーマット情報がＤＶＤ−Ｒを示す値と異なる値である場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項１０に記載のデータ記録装置。
【請求項１２】
前記判定手段は、取得した前記フォーマット情報が全て同じ値である場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項１１に記載のデータ記録装置。
【請求項１３】
前記取得手段は、前記記録媒体から物理フォーマット情報を取得し、
前記判定手段は、前記物理フォーマット情報にＲＯＭディスクであることを示す値が記録されている場合に、前記記録媒体が、ＤＶＤ−Ｒ規格で規定されていない媒体特性を有し、かつ、ＤＶＤ−ＲＯＭ規格と互換性を有する追記型の記録媒体であると判定する
ことを特徴とする請求項１０に記載のデータ記録装置。
【請求項１４】
前記データ記録装置は、
外部の記録媒体を装着して、前記記録媒体を自装置内に取り込む媒体入力手段と、
前記判定手段により、前記記録媒体が、ＤＶＤ−Ｒ規格で規定されていない媒体特性を有し、かつ、ＤＶＤ−ＲＯＭ規格と互換性を有する追記型の記録媒体でないと判定された場合に、前記媒体入力手段を動作させて、前記記録媒体を自装置外に排出する制御手段と
を備えることを特徴とする請求項１に記載のデータ記録装置。
【請求項１５】
前記書込手段は、ＤＶＤ−Ｒ規格で規定されていない媒体特性を有し、かつ、ＤＶＤ−ＲＯＭ規格と互換性を有する追記型の記録媒体の前記媒体特性を用いて、前記記録媒体に前記データを書き込む
ことを特徴とする請求項１に記載のデータ記録装置。
【請求項１６】
前記書込手段は、前記媒体特性として、ＤＶＤ−Ｒ規格で規定されているグルーブウォブルの周波数とは異なる規定値に設定された前記追記型の記録媒体のグルーブウォブルの周波数を用いて、前記記録媒体に前記データを書き込む
ことを特徴とする請求項１５に記載のデータ記録装置。
【請求項１７】
前記追記型の記録媒体のグルーブウォブルの周波数を示す前記規定値は、ＤＶＤ−Ｒ規格で規定されているグルーブウォブルの周波数の整数倍である
ことを特徴とする請求項１６に記載のデータ記録装置。
【請求項１８】
データ記録装置で用いられるデータ記録方法であって、
外部の記録媒体から、前記記録媒体の特性を取得する取得ステップと、
取得した前記特性に基づき、前記記録媒体が、ＤＶＤ−Ｒ規格で規定されていない媒体特性を有し、かつ、ＤＶＤ−ＲＯＭ規格と互換性を有する追記型の記録媒体であるか否かを判定する判定ステップと、
前記判定ステップによる判定の結果が肯定的である場合に、前記記録媒体にデータを書き込む書込ステップと
を含むことを特徴とするデータ記録方法。
【請求項１９】
データ記録装置で用いられるコンピュータプログラムであって、
外部の記録媒体から、前記記録媒体の特性を取得する取得ステップと、
取得した前記特性に基づき、前記記録媒体が、ＤＶＤ−Ｒ規格で規定されていない媒体特性を有し、かつ、ＤＶＤ−ＲＯＭ規格と互換性を有する追記型の記録媒体であるか否かを判定する判定ステップと、
前記判定ステップによる判定の結果が肯定的である場合に、前記記録媒体にデータを書き込む書込ステップと
を含むことを特徴とするコンピュータプログラム。
【請求項２０】
外部の記録媒体から、前記記録媒体の特性を取得する取得手段と、
取得した前記特性に基づき、前記記録媒体が、ＤＶＤ−Ｒ規格で規定されていない媒体特性を有し、かつ、ＤＶＤ−ＲＯＭ規格と互換性を有する追記型の記録媒体であるか否かを判定する判定手段と、
前記判定手段による判定の結果が肯定的である場合に、前記記録媒体にデータを書き込む書込手段と
を備えることを特徴とする集積回路。
【手続補正２】
【補正対象書類名】明細書
【補正対象項目名】全文
【補正方法】変更
【補正の内容】
【発明の詳細な説明】
【技術分野】
【０００１】
本発明は、デジタルデータを記録する記録媒体に関し、特に、追記型の記録媒体に関する。
【背景技術】
【０００２】
映画等のデジタルコンテンツを配信する方法として一般的であるのは、ＤＶＤ（Ｄｉｇｉｔａｌ  Ｖｅｒｓａｔｉｌｅ  Ｄｉｓｃ）−ＲＯＭにデジタルコンテンツを記録して配信する方法である。
ＤＶＤ−ＲＯＭを用いたコンテンツ配信では、ＤＶＤ−Ｖｉｄｅｏ規格に準拠したコンテンツデータを、著作権保護技術の１つであるＣＳＳ（Ｃｏｎｔｅｎｔ Ｓｃｒａｍｂｌｉｎｇ  Ｓｙｓｔｅｍ）で保護した上で、記録する。ＣＳＳは、コンテンツの不正コピーを禁止することを目的として導入された仕組みであり、現在、一般に広く出回っているＤＶＤプレーヤには、ＣＳＳの制約を実現するための機構が組み込まれている。
【０００３】
ＤＶＤ−ＲＯＭを用いた方法以外のコンテンツ配信方法として、コンビニエンスストアの店頭等に設置されたキオスク端末を用いて、コンテンツをダウンロードするシステムが考えられている。
キオスク端末は、ネットワークを介して、コンテンツを蓄積したサーバと接続されている。ユーザは、キオスク端末上で購入するコンテンツを選択し、記録型のブランクディスクをキオスク端末に挿入する。キオスク端末は、選択されたコンテンツをサーバから取得して、ブランクディスクに記録する。このときブランクディスクには、著作権保護が施されたコンテンツが記録される。
【０００４】
上記のシステムでは、ブランクディスクとして、現在、追記型メディアの主流となっているＤＶＤ−Ｒを用いることが想定される。
【特許文献１】特開２００４−２４６９９０号公報
【発明の開示】
【発明が解決しようとする課題】
【０００５】
上記のシステムにおいて、ブランクディスクとしてＤＶＤ−Ｒを用い、著作権保護技術としてＣＳＳを用いた場合、従来のＤＶＤプレーヤでは、ＤＶＤ−Ｒに記録されているコンテンツを再生することができない。
これは、既存のＤＶＤプレーヤには、ＣＳＳの規約上、ＣＳＳで保護されたコンテンツがＤＶＤ−Ｒに記録されている場合には、不正コピーとみなしてコンテンツを再生させない機構が組み込まれているためである。
【０００６】
しかし、この機構は、ＣＳＳで保護されたコンテンツがディスク経由で配布されることしか想定されていなかった頃に策定された規約に従っている。そのため、今回想定しているような、キオスク端末経由でコンテンツを受け取り、ブランクディスクに書き込むシステムでは、以下のような不都合が生じる。
キオスク端末は正規のライセンスを受けた上で、ＣＳＳで保護されたコンテンツをＤＶＤ−Ｒに書き込んでいるにも関わらず、ユーザは購入したコンテンツを再生することができない。しかし、だからと言って、キオスク端末を用いたサービスを受けることを希望する全てのユーザに対して、ＤＶＤ−Ｒに記録されたＣＳＳコンテンツを再生することが出来る新たなＤＶＤプレーヤの買い替えを要求するのは酷である。
【０００７】
この様な不都合が生じれば、新たなコンテンツ配信システムの普及が阻まれることとなる。
そこで、本発明は、上記の問題点に鑑みなされたものであって、ＣＳＳで保護されたコンテンツを記録型のメディアに記録した場合でも、従来のＤＶＤプレーヤで再生することができる追記型の記録媒体、データ記録装置、データ再生装置、及びデータ記録方法を提供することを目的とする。
【課題を解決するための手段】
【０００８】
上記の問題点を解決するために、本発明は、記録媒体であって、ＤＶＤ−Ｒ規格で規定されていない媒体特性を有し、ＤＶＤ−ＲＯＭ規格と互換性を有することを特徴とする。
【発明の効果】
【０００９】
上記の構成によると、本発明の記録媒体を用いれば、受け付けた記録媒体がＤＶＤ−Ｒであるか否かを媒体特性から判断する既存のＤＶＤプレーヤに対して、自身がＤＶＤ−Ｒとは異なる記録媒体であることを示すことができる。
従って、ユーザは、本発明の記録媒体を用いれば、ＣＳＳで保護されたコンテンツデータを記録した場合に、既存のＤＶＤプレーヤにてコンテンツを視聴することが可能となる。
【００１０】
本発明の記録媒体は、例えばキオスク端末を用い、正規のライセンスを得て、ユーザにコンテンツを販売するサービスにおいて利用されることが想定される。
この場合、キオスク端末は、ユーザから受け付けた記録媒体が、既存のＤＶＤ−Ｒであるのか、本発明の新型の記録媒体であるのかを判別することが可能である。ここで、キオスク端末は、ユーザから受け付けた記録媒体が本発明の記録媒体であると判断する場合にのみ、記録媒体にＣＳＳで保護されたコンテンツを書き込むようにすれば、既存のＤＶＤプレーヤを用いて再生可能な記録済みディスクをユーザに提供することが可能となる。
【００１１】
ここで、本発明の記録媒体は、前記媒体特性として、ＤＶＤ−Ｒ規格で規定されていない物理特性を有するように構成してもよい。
この構成によると、本発明の記録媒体は、従来のＤＶＤ−Ｒと区別することが可能であり、追記型のＤＶＤメディアでありながら、ＣＳＳで保護されたコンテンツデータを記録した場合に、既存のＤＶＤプレーヤにてコンテンツを再生することが可能となる。
【００１２】
ここで、本発明の記録媒体は、前記ＤＶＤ−Ｒ規格で規定されていない物理特性として、グルーブウォブルの振幅が０であるグルーブ、ランド、及びピット群が形成された記録層を備えるように構成しても良い。
従来のＤＶＤ−Ｒは、グルーブウォブルが所定の振幅でウォブリングされている。一方で、本発明の記録媒体は、グルーブウォブルの振幅が０であり、従来のＤＶＤ−Ｒとは明らかに異なる。
【００１３】
従って、データ記録時及びデータ再生時に、グルーブの形状を調べることにより、従来のＤＶＤ−Ｒと本発明の記録媒体とを区別することが可能となる。
ここで、本発明の記録媒体は、前記ＤＶＤ−Ｒ規格で規定されていない物理特性として、ＤＶＤ−Ｒ規格で規定されているグルーブウォブルの周波数と異なる周波数でウォブリングされたグルーブ、ランド、及びピット群が形成された記録層を備えるように構成しても良い。
【００１４】
また、本発明の記録媒体は、前記ＤＶＤ−Ｒ規格で規定されていない物理特性として、ＤＶＤ−Ｒ規格で規定されているグルーブウォブルの周波数の整数倍又は分数倍である周波数でウォブリングされたグルーブ、ランド、及びピット群が形成された記録層を備えるように構成してもよい。
この構成によると、本発明の記録媒体は、ウォブルの周波数が、従来のＤＶＤ−Ｒとは異なるので、データ記録時及びデータ再生時に、ウォブルの周波数を調べることにより、従来のＤＶＤ−Ｒと本発明の記録媒体とを区別することが可能となる。
【００１５】
ここで、本発明の記録媒体は、前記ＤＶＤ−Ｒ規格で規定されていない物理特性として、記録位置を決定するアドレス用ピット群が形成された平らな記録層を備えるように構成してもよい。
従来のＤＶＤ−Ｒは、トラックフォーマットとして、ランドとグルーブとを備えていた。しかし、この構成によれば、本発明の記録媒体は、ランドとグルーブとを備えておらず、明らかに、従来のＤＶＤ−Ｒとは異なる物理特性を有している。
【００１６】
従って、データ記録時及びデータ再生時に、トラックフォーマットを調べることにより、従来のＤＶＤ−Ｒと本発明の記録媒体とを区別することが可能となる。
また、本発明の記録媒体は、アドレス用のピットが刻まれているので、これを用いて位置決定を行い、データを記録することが出来る。
ここで、本発明の記録媒体は、リードイン領域、データ領域、及びリードアウト領域から成るＩｎｆｏｒｍａｔｉｏｎ  ａｒｅａと、前記Ｉｎｆｏｒｍａｔｉｏｎ  ａｒｅａの内周に位置するＲ−Ｉｎｆｏｒｍａｔｉｏｎ  ａｒｅａとを備え、前記ＤＶＤ−Ｒ規格で規定されていない物理特性として、前記Ｒ−Ｉｎｆｏｒｍａｔｉｏｎ  ａｒｅａに記録層が形成されておらず、前記Ｉｎｆｏｒｍａｔｉｏｎ  ａｒｅａに記録層が形成されているように構成してもよい。
【００１７】
従来のＤＶＤ−Ｒは、Ｉｎｆｏｒｍａｔｉｏｎ  ａｒｅａ、及びその内周に位置するＲ−Ｉｎｆｏｒｍａｔｉｏｎ  ａｒｅａに記録層が形成されていた
しかし、本発明の記録媒体は、Ｉｎｆｏｒｍａｔｉｏｎ  ａｒｅａのみに記録層を形成しているので、明らかに従来のＤＶＤ−Ｒとは異なる構成を有する。
従って、データ記録時及びデータ再生時に、Ｉｎｆｏｒｍａｔｉｏｎ  ａｒｅａの内周部分に記録領域が存在するか否かを調べることにより、従来のＤＶＤ−Ｒと本発明の記録媒体とを区別することが可能となる。
【００１８】
ここで、本発明の記録媒体は、前記媒体特性として、ＤＶＤ−Ｒ規格で規定されていない論理特性を有するように構成してもよい。
この構成によると、本発明の記録媒体は、従来のＤＶＤ−Ｒと区別することが可能であり、追記型のＤＶＤメディアでありながら、ＣＳＳで保護されたコンテンツデータを記録した場合に、既存のＤＶＤプレーヤにてコンテンツを再生することが可能となる。
【００１９】
ここで、本発明の記録媒体は、前記ＤＶＤ−Ｒ規格で規定されていない論理特性として、リードイン領域内のＲ／ＲＷ物理フォーマット情報が記録されている領域に、ＤＶＤ−Ｒを示す値とは異なる値が埋め込まれているように構成してもよい。
また、本発明の記録媒体は、リードイン領域内のＲ／ＲＷ物理フォーマット情報が記録されている領域に、全て同じ値が埋め込まれているように構成しても良い。
【００２０】
従来のＤＶＤ−Ｒでは、Ｒ／ＲＷ物理フォーマット情報が記録されている領域には、追記型ディスクのＤＶＤ−Ｒであることを示す値が埋め込まれているので、本発明の記録媒体は、ＤＶＤ−Ｒとは明らかに異なる。
従って、データ記録時及びデータ再生時に、Ｒ／ＲＷ物理フォーマット情報が記録されている領域からデータを抽出することにより、従来のＤＶＤ−Ｒと本発明の記録媒体とを区別することが可能となる。
【００２１】
ここで、本発明の記録媒体は、リードイン領域に記録されている物理フォーマット情報に、ＲＯＭディスクであることを示す値が記録されているように構成してもよい。
従来のＤＶＤ−Ｒでは、当然のことであるが、ＲＯＭディスクであることを示す物理フォーマット情報を有していない。従って、本発明の記録媒体は、追記型でありながら明らかにＤＶＤ−Ｒと異なる論理特性を有している。
【００２２】
従って、データ記録時及びデータ再生時に、物理フォーマット情報が記録されている領域からデータを抽出することにより、従来のＤＶＤ−Ｒと本発明の記録媒体とを区別することが可能となる。
また、本発明は、データ記録装置であって、外部の記録媒体から、前記記録媒体の特性を取得する取得手段と、取得した前記特性に基づき、前記記録媒体が、請求項１に記載の追記型の記録媒体であるか否かを判定する判定手段と、前記判定手段による判定の結果が肯定的である場合に、前記記録媒体にデータを書き込む書込手段とを備えることを特徴とする。
【００２３】
この構成によると、データ記録装置は、記録媒体が従来のＤＶＤ−Ｒ等、請求項１に記載した新型の追記型ディスク以外の記録媒体である場合には、データを書き込まないので、従来のＤＶＤプレーヤで再生可能なディスクのみを生成することができ、従来のＤＶＤププレーヤで再生できないディスクを生成することがない。
本発明の記録媒体及びデータ記録装置は、例えばキオスク端末（前記データ記録装置に相当する）を用い、正規のライセンスを得て、ユーザにコンテンツを販売するサービスにおいて利用されることが想定される。
【００２４】
この場合、キオスク端末は、ユーザから受け付けた記録媒体が、既存のＤＶＤ−Ｒであるのか、本発明の新型の追記型記録媒体であるのかを判別することが可能である。ここで、キオスク端末は、ユーザから受け付けた記録媒体が本発明の記録媒体であると判断する場合にのみ、記録媒体にＣＳＳで保護されたコンテンツを書き込むようにすれば、ユーザは、既存のＤＶＤプレーヤを用いて、コンテンツを視聴することが可能となる。
【００２５】
ここで、前記書込手段は、前記データが、ＣＳＳ（Ｃｏｎｔｅｎｔ Ｓｃｒａｍｂｌｉｎｇ  Ｓｙｓｔｅｍ）で保護されたＤＶＤ−Ｖｉｄｅｏ規格に準拠したデータであるか否かを判定し、前記判定の結果が肯定的である場合にのみ、前記追記型の記録媒体に、前記データを書き込む
ように構成してもよい。
【００２６】
この構成によると、データ記録装置は、著作権保護が施されたデータを、正規のライセンスを受けてユーザにサービスを提供することができる。
ここで、前記書込手段は、前記判定手段による判定の結果が肯定的である場合に、前記記録媒体のリードイン領域に、コンテンツプロバイダ情報を書き込むように構成してもよい。
【００２７】
従来のＤＶＤ−Ｒは、リードイン領域にコンテンツプロバイダ情報が記録されることはない。また、従来のＤＶＤ−ＲＯＭは、リードイン領域にコンテンツプロバイダ情報が記録されている。
従って、本発明のデータ記録装置は、請求項１に記載の新型の追記型記録媒体にコンテンツプロバイダ情報を書き込むことにより、データ再生時には、既存のＤＶＤプレーヤにてＲＯＭディスクとして扱われることとなり、データを再生することが可能となる。
【００２８】
ここで、前記取得手段は、前記記録媒体から物理特性を取得し、前記判定手段は、取得した前記物理特性に基づき、前記記録媒体が、請求項１に記載の追記型の記録媒体であるか否かを判定するように構成してもよい。
この構成によると、データ記録装置は、物理特性を取得するという簡便な処理にて、本発明の記録媒体と従来のＤＶＤ−Ｒとを判別することが可能となる。
【００２９】
ここで、前記取得手段は、前記物理特性としてグルーブウォブルの振幅を取得し、前記判定手段は、取得した前記振幅が０である場合に、前記記録媒体が請求項１に記載の追記型の記録媒体であると判定するように構成してもよい。
この構成によると、データ記録装置は、ウォブルの有無を判断するという簡便な処理にて、本発明の追記型記録媒体と従来のＤＶＤ−Ｒとを判別することが可能となる。
【００３０】
ここで、前記取得手段は、前記物理特性としてグルーブウォブルの周波数を取得し、前記判定手段は、取得した前記周波数が、ＤＶＤ−Ｒ規格で規定されているグルーブウォブルの周波数と異なる場合に、前記記録媒体が請求項１に記載の追記型の記録媒体であると判定するように構成してもよい。
また、前記判定手段は、取得した前記周波数が、ＤＶＤ−Ｒ規格で規定されているグルーブウォブルの周波数の整数倍又は分数倍である場合に、前記記録媒体が請求項１に記載の追記型の記録媒体であると判定するように構成してもよい。
【００３１】
この構成によると、データ記録装置は、ウォブルの周波数を調べるという簡便な処理にて、本発明の追記型記録媒体と従来のＤＶＤ−Ｒとを判別することが可能となる。
ここで、前記取得手段は、前記物理特性として、前記記録媒体のトラックフォーマットを示す情報を取得し、前記判定手段は、取得した前記情報に基づき、前記記録媒体にグルーブ及びランドが存在しないと判断する場合に、前記記録媒体が請求項１に記載の追記型記録媒体であると判定するように構成してもよい。
【００３２】
この構成によると、データ記録装置は、記録媒体のトラックフォーマットを調べるという簡便な処理にて、本発明の追記型記録媒体と従来のＤＶＤ−Ｒとを判別することが可能となる。
ここで、前記取得手段は、リードイン領域の内周部分から前記物理特性を取得し、前記判定手段は、リードイン領域の内周部分に、記録層が存在しない場合に、前記記録媒体が請求項１に記載の追記型の記録媒体であると判定するように構成してもよい。
【００３３】
この構成によると、データ記録装置は、従来のＤＶＤ−Ｒに備わっているＲ−Ｉｎｆｏｒｍａｔｉｏｎ  ａｒｅａという記録領域が存在するか否かを調べることにより、本発明の追記型記録媒体と従来のＤＶＤ−Ｒとを判別することが可能となる。
ここで、前記取得手段は、前記記録媒体から論理特性を取得し、前記判定手段は、取得した前記論理特性に基づき、前記記録媒体が請求項１に記載の追記型の記録媒体であるか否かを判定するように構成してもよい。
【００３４】
この構成によると、データ記録装置は、物理特性を取得する場合と比較して、より簡便な処理にて、本発明の追記型記録媒体と従来のＤＶＤ−Ｒとを判別することが可能となる。
ここで、前記取得手段は、Ｒ／ＲＷ物理フォーマット情報が記録されている領域からフォーマット情報を取得し、前記判定手段は、取得した前記フォーマット情報がＤＶＤ−Ｒを示す値と異なる値である場合に、前記記録媒体が請求項１に記載の追記型の記録媒体であると判定するように構成してもよい。
【００３５】
また、前記取得手段は、Ｒ／ＲＷ物理フォーマット情報が記録されている領域からフォーマット情報を取得し、前記判定手段は、取得した前記フォーマット情報が全て同じ値である場合に、前記記録媒体が請求項１に記載の追記型の記録媒体であると判定するように構成してもよい。
また、前記取得手段は、前記記録媒体から物理フォーマット情報を取得し、前記判定手段は、前記物理フォーマット情報にＲＯＭディスクであることを示す値が記録されている場合に、前記記録媒体が請求項１に記載の追記型の記録媒体であると判定するように構成してもよい。
【００３６】
この構成によると、データ記録装置は、物理フォーマット情報を判断するという簡便な処理にて、本発明の追記型記録媒体と従来のＤＶＤ−Ｒとを判別することが可能となる。
ここで、前記データ記録装置は、外部の記録媒体を装着して、前記記録媒体を自装置内に取り込む媒体入力手段と、前記判定手段により、前記記録媒体が請求項１に記載の追記型の記録媒体でないと判定された場合に、前記媒体入力手段を動作させて、前記記録媒体を自装置外に排出する制御手段とを備えるように構成してもよい。
【００３７】
この構成によると、データ記録装置は、ユーザが挿入した記録媒体が、本発明の新型の追記型記録媒体以外のディスクであると判断した場合には、データを記録せず速やかにディスクを排出することができ、ユーザに対して、データを記録できないディスクである旨を通知することが可能となる。
ここで、前記書込手段は、請求項１に記載の追記型の記録媒体の前記媒体特性を用いて、前記記録媒体に前記データを書き込むように構成してもよい。
【００３８】
ここで、前記書込手段は、前記媒体特性として、ＤＶＤ−Ｒ規格で規定されているグルーブウォブルの周波数とは異なる規定値に設定された請求項１に記載の追記型の記録媒体のグルーブウォブルの周波数を用いて、前記記録媒体に前記データを書き込むように構成してもよい。
ここで、請求項１に記載の追記型の記録媒体のグルーブウォブルの周波数を示す前記規定値は、ＤＶＤ−Ｒ規格で規定されているグルーブウォブルの周波数の整数倍であるように構成してもよい。
【００３９】
この構成によると、データ記録装置は、新型の追記型ディスクに対して、判定手段による前記判定に用いられるその媒体特性（トラックフォーマット等）を用いて、データを書き込むことが可能となる。
【発明を実施するための最良の形態】
【００４０】
本発明を実施するための最良の形態を、図面を参照しながら説明する。
（コンテンツ配信システム１の全体構成）
図１は、本発明の一実施形態に係るコンテンツ配信システム１の全体構成を示す図である。
図１に示すように、コンテンツ配信システム１は、コンテンツ配信サーバ１１０と、コンテンツＤＢ１１１と、キオスク端末１２０と、ディスクプレーヤ１３０と、通信路１４０と、新型追記型ブランクディスク１４１と、記録済みディスク１４２とから構成される。
【００４１】
コンテンツ配信サーバ１１０は、ＣＰＵ、ワークメモリ、ＨＤＤ等から構成されるコンピュータを想定しているが、それに限るものではない。また、コンテンツ配信サーバ１１０は、コンテンツＤＢ１１１と接続されている。
コンテンツＤＢ１１１は、ＣＳＳ（Ｃｏｎｔｅｎｔ Ｓｃｒａｍｂｌｉｎｇ  Ｓｙｓｔｅｍ）で保護された暗号化コンテンツデータと、関連するＣＳＳデータとを管理している。
【００４２】
具体的には、コンテンツＤＢ１１１は、コンテンツのＡＶデータをタイトル鍵で暗号化した暗号化コンテンツデータと、タイトル鍵をディスク鍵で暗号化した暗号化タイトル鍵、及びディスク鍵をディスクプレーヤ１３０が持つマスタ鍵を含む複数個のマスタ鍵で暗号化した暗号化ディスク鍵セットとを関連付けて記憶している。
コンテンツ配信サーバ１１０は、後述するキオスク端末１２０からの要求に応じて、要求されたコンテンツが暗号化されている暗号化コンテンツと、関連するＣＳＳデータとをコンテンツＤＢ１１１から取得する。コンテンツ配信サーバ１１０は、取得した暗号化コンテンツとＣＳＳデータとを、キオスク端末１２０に送信する。
【００４３】
ディスクプレーヤ１３０は、ＤＶＤ−ＲＯＭを再生する機能を有する既存のＤＶＤ再生装置である。ここで、ＤＶＤ−ＲＯＭを再生する機能を有することから、ディスクプレーヤ１３０は、ＣＳＳで保護されたＤＶＤ−Ｖｉｄｅｏ規格準拠のデータを再生することができる。本実施形態では、ディスクプレーヤ１３０として、既存の民生用プレーヤ、ＰＣを利用したソフトウェアプレーヤ等を想定しているが、それに限るものではない。
【００４４】
コンテンツ配信サーバ１１０とキオスク端末１２０とを繋ぐ通信路１４０は、インターネットを想定しているが、それに限るものではない。
新型追記型ブランクディスク１４１は、追記型ディスクであるＤＶＤ−Ｒと、読出専用ディスクであるＤＶＤ−ＲＯＭの特性とを併せ持つディスクである。
具体的には、新型追記型ブランクディスク１４１は、ＤＶＤ−Ｒの物理特性と異なり、「ウォブルが無い」という物理特性を持ち、さらに、ＤＶＤ−ＲＯＭの論理特性と同様に、「Ｒ／ＲＷ物理フォーマット情報が０埋めされている」という論理特性を持つ。
【００４５】
新型追記型ブランクディスク１４１が持つ特性は、キオスク端末１２０にセットされた際、物理特性、論理特性、若しくは物理／論理両特性から、新型追記型ブランクディスク１４１が、ＤＶＤ−Ｒとは異なる追記型ブランクディスクとして認識される特性であれば、前述の特性の組合せに限らない。
また、新型追記型ブランクディスク１４１が持つ特性は、データを記録した後、記録済みディスク１４２としてディスクプレーヤ１３０にセットされた際、ＤＶＤ−ＲＯＭディスクとして認識される特性であれば、前述の特性の組合せに限らない。
【００４６】
従って、新型追記型ブランクディスク１４１が持つ物理特性を、ＤＶＤ−Ｒ固有の物理特性である「ウォブル」が無いこととしているが、これは一例にすぎない。上記以外にも、「トラックフォーマットがＬａｎｄ＆Ｇｒｏｏｖｅでない」、「Ｒ−Ｉｎｆｏｒｍａｔｉｏｎ  ａｒｅａが存在しない」、「ウォブルの周波数がＤＶＤ−Ｒ規格で規定されたものと異なる」等、新型追記型ブランクディスク１４１は、ＤＶＤ−Ｒが有する物理特性を持たず、データ記録時に、ＤＶＤ−Ｒと区別することができる物理特性を持っていればよい。更には、新型追記型ブランクディスク１４１が持つ物理特性を、ＤＶＤ−ＲＯＭが持つ物理特性としてもよい。ＤＶＤ−ＲＯＭが持つ物理特性は、例えば、「ウォブルが無い」等である。
【００４７】
また、ここでは、新型追記型ブランクディスク１４１が持つ論理特性を、「Ｒ／ＲＷ物理フォーマット情報が０埋めされている」としているがこれも一例にすぎない。上記以外にも、「リードイン領域にコンテンツプロバイダ情報が記録されている」、「予め記録されている物理情報として"ＲＯＭディスク"の値を持つ」等、新型追記型ブランクディスク１４１は、データ書込み時にＤＶＤ−Ｒと区別することができ、且つ、既存のＤＶＤプレーヤにてＤＶＤ−ＲＯＭディスクとして認識されるための論理特性を持っていればよい。
【００４８】
このような構成を有することにより、新型追記型ブランクディスク１４１は、データを書き込まれる際、ＤＶＤ−Ｒとは異なる追記型ディスクとして識別された上でデータを書き込まれることができる。更に、データ書込み後の記録済みディスク１４２は、既存のＤＶＤプレーヤで再生する際、ＤＶＤ−ＲＯＭとして識別される。
ディスクプレーヤ１３０は、セットされたディスクが、ＣＳＳコンテンツを記録したＤＶＤ−Ｒメディアであると判断した場合、コンテンツの再生を停止する。これは、ＣＳＳの規約を実現するための機構が、ディスクプレーヤ１３０に組み込まれているためである。しかし、上記の構成を有する新型追記型ブランクディスク１４１にコンテンツを記録した記録済みディスク１４２は、ＤＶＤ−Ｒが持つ特性を持たず、また、ＤＶＤ−ＲＯＭが持つ特性を持っているので、ディスクプレーヤ１３０により再生することが可能となる。
【００４９】
以上で、コンテンツ配信システム１の全体構成に関する説明を終了する。
（コンテンツ配信システム１を用いて提供するサービスの概要）
次に、コンテンツ配信システム１を用いて提供するサービスの概要について説明する。
ユーザは、キオスク端末１２０に表示されるコンテンツのリストを見ながら購入したいコンテンツを選択し、ブランクディスクをキオスク端末１２０に挿入する。
【００５０】
ここで、本発明の新型追記型ブランクディスク１４１は、既存のＤＶＤプレーヤで再生が可能となるよう、形状が従来のＤＶＤ−Ｒと良く似ている。そのため、ユーザが誤って従来のＤＶＤ−Ｒをキオスク端末１２０に挿入してしまう恐れがある。
この場合、ユーザが誤って挿入したＤＶＤ−Ｒに、ＣＳＳ保護されたコンテンツが書き込まれた状態となる。ディスクプレーヤ１３０は、ＣＳＳの制約を実現する機構によって、ＤＶＤ−ＲにＣＳＳ保護されたコンテンツが記録されている場合には、コンテンツの再生を禁止する。そのため、ユーザは、コンテンツの代金を支払っているにも関わらず、ディスクプレーヤ１３０で再生することができないディスクしか得られないこととなってしまう。
【００５１】
従って、キオスク端末１２０は、挿入されたブランクディスクがＤＶＤ−Ｒとは異なり、且つ既存のＤＶＤプレーヤではＤＶＤ−ＲＯＭとして認識されることにより再生が可能となるような特性を持つ新型追記型ブランクディスク１４１が挿入された場合のみ、ユーザに対し、課金を要求するように構成することが望ましい。
また、新型追記型ブランクディスク１４１と誤って、再生専用のＤＶＤ−ＲＯＭディスクが挿入される場合も考えられる。このような場合、キオスク端末１２０は、ディスクにコンテンツを書き込むことができないため、ユーザの混乱を招く可能性がある。従って、キオスク端末１２０は、ＤＶＤ−ＲＯＭディスクが誤って挿入されたことについても、ユーザに課金を要求する前に検出することが望ましい。
【００５２】
新型追記型ブランクディスクと、ＤＶＤ−Ｒディスク及びＤＶＤ−ＲＯＭディスク等の他のメディアとを区別する具体的な方法については後述する。
なお、ＤＶＤ−ＲやＤＶＤ−ＲＯＭ以外にも、ＤＶＤ−ＲＡＭやＤＶＤ−ＲＷ等の他のメディアが誤挿入された場合にも、誤ったメディアが挿入されたことを検出する必要があるが、これらのメディアが挿入されたか否かの判断方法は、ＤＶＤ−Ｒ、及びＤＶＤ−ＲＯＭの誤挿入を判断する方法と同様であるので、説明を省略する。
【００５３】
ユーザがコンテンツの代金を支払う課金処理を行うと、キオスク端末１２０は、ユーザが選択したコンテンツを、コンテンツ配信サーバ１１０から取得する。なお、キオスク端末１２０が取得するコンテンツは、既にＣＳＳで保護されたＤＶＤ−Ｖｉｄｅｏ規格準拠のデータである。
続いて、キオスク端末１２０は、取得したコンテンツを、新型追記型ブランクディスク１４１に書き込み、記録済みディスク１４２を作成する。キオスク端末１２０は、記録済みディスク１４２を外部に排出して、ユーザは、記録済みディスク１４２を取得する。
【００５４】
ディスクプレーヤ１３０は、記録済みディスク１４２をＤＶＤ−ＲＯＭであると認識するので、記録済みディスク１４２に記録されているコンテンツを再生する。そして、ユーザは、コンテンツを視聴する。
このように、本実施形態のコンテンツ配信システム１では、ＤＶＤ−Ｒとは異なり、且つ、ＤＶＤ−ＲＯＭの特性を持つ新型追記型ブランクディスク１４１を導入し、更に、そのディスクに、ＣＳＳで保護されたＤＶＤ−Ｖｉｄｅｏ規格準拠のデータを書き込むことにより、既存のＤＶＤプレーヤで再生することができるコンテンツを、ユーザに提供することができる。
【００５５】
また、コンテンツ配信システム１では、キオスク端末１２０にてデータを書き込む前に、セットされたディスクが、新型追記型ブランクディスク１４１であるか、ＤＶＤ−Ｒ等の既存の追記型ディスクであるかを識別する。そして、セットされたディスクが新型追記型ブランクディスク１４１である場合のみ、キオスク端末１２０は、ＣＳＳで保護されたＤＶＤ−Ｖｉｄｅｏ規格準拠のデータを、ディスクに書き込む。
【００５６】
これにより、既存のＤＶＤプレーヤで再生できないディスクを作成することを防ぎ、ユーザを混乱させることなく、追記型のＤＶＤディスクを用いたコンテンツ配信サービスを実現することができる。
以上で、コンテンツ配信システム１を用いて提供するサービスの概要についての説明を終了する。
【００５７】
（キオスク端末１２０の構成）
図２は、キオスク端末１２０の内部構成を機能的に示す機能ブロック図である。
キオスク端末１２０は、ディスク識別部１２０１、論理特性取得部１２０２、物理特性取得部１２０３、データ読出部１２０４、データ書込部１２０５、課金部１２０６、証明書保持部１２０７、データ書込制御部１２０８、データ取得部１２０９、通信部１２１０、操作部１２１１、及び表示部１２１２から構成される。
【００５８】
操作部１２１１、及び表示部１２１２は、それぞれ、ユーザ操作を受け付けることができ、操作内容や処理内容をユーザに提示する。本実施の形態では、操作部１２１１、及び表示部１２１２の具体例として、タッチパネルを想定している。しかし、上述した処理ができるものであれば、操作部１２１１、及び表示部１２１２は、タッチパネルに限定されない。
【００５９】
物理特性取得部１２０３、データ読出部１２０４、及びデータ書込部１２０５は、それぞれ、ディスクからの物理特性の取得、ディスクのデータの読出し、及びディスクへのデータの書き込みを行う。本実施の形態では、物理特性取得部１２０３、データ読出部１２０４、及びデータ書込部１２０５の具体例として、ディスクドライブを想定している。しかし、上述したそれぞれの処理ができれば、物理特性取得部１２０３、データ読出部１２０４、及びデータ書込部１２０５は、ディスクドライブに限定されない。
【００６０】
通信部１２１０は、通信路１４０を介して、コンテンツ配信サーバ１１０と通信する。本実施の形態では、通信部１２１０の具体例として、イーサネット（登録商標）端子を想定している。しかし、コンテンツ配信サーバ１１０との通信ができれば、通信部１２１０は、イーサネット（登録商標）端子に限定されない。
証明書保持部１２０７は、キオスク端末１２０の証明書を保持する。証明書は、キオスク端末１２０が正当なライセンスを受けた端末であることをコンテンツ配信サーバ１１０に呈示する情報である。具体的には、証明書は、認証局から取得した公開鍵証明書である。本実施の形態では、証明書保持部１２０７の具体例として、不揮発性メモリを想定している。しかし、証明書を保持することができれば、証明書保持部１２０７は、不揮発性メモリに限定されない。
【００６１】
ディスク識別部１２０１、論理特性取得部１２０２、課金部１２０６、データ書込制御部１２０８、及びデータ取得部１２０９は、キオスク端末１２０上のＣＰＵ、ワークメモリを使って動作するソフトウェアを想定している。しかし、これらの構成要素をソフトウェアにより実現する代わりに、各構成要素をハードウェアとして実現しても良い。
以上で、キオスク端末１２０の内部構成に関する説明を終了する。
【００６２】
（キオスク端末１２０の動作）
次に、図３及び図４に示すフローチャートを用いて、キオスク端末１２０の動作について説明する。
先ず、キオスク端末１２０の表示部１２１２は、本サービスで提供するコンテンツのリストを表示する。ユーザは、操作部１２１１を操作することにより、購入するコンテンツを選択する（ステップＳ１）。
【００６３】
次に、キオスク端末１２０は、コンテンツを書き込むためのブランクディスクの挿入を要求する。
ユーザによりディスクがセットされると、ディスク識別部１２０１は、セットされたディスクの種類を識別する（ステップＳ２）。ディスク識別処理の詳細は後述する。
セットされたディスクが、新型追記型ブランクディスク１４１の場合（ステップＳ３でＹＥＳ）、ステップＳ４へ進む。
【００６４】
セットされたディスクが、新型追記型ブランクディスク１４１でない場合（ステップＳ３でＮＯ）、キオスク端末１２０は、ディスクに何もデータを書き込まず、ステップＳ７へ進む。ステップＳ７において、キオスク端末１２０は、ディスクを外部へ排出し（ステップＳ７）、処理を終了する。
この様に、キオスク端末１２０は、ディスクにデータを書き込む前に、セットされたディスクの種類を識別し、セットされたディスクが新型追記型ブランクディスク１４１である場合のみ、ＣＳＳで保護されたＤＶＤ−Ｖｉｄｅｏ規格準拠のデータを書き込む。
【００６５】
これにより、コンテンツ配信システム１では、既存のＤＶＤプレーヤで再生できないディスクを作成することを防ぎ、ユーザを混乱させることなく、追記型ディスクを使ったコンテンツ配信サービスを実現することができる。
ステップＳ３に続いて、ステップＳ４を処理する場合、キオスク端末１２０は、ユーザに対して、表示部１２１２を介して課金を要求する。そして、課金部１２０６は、ユーザからの課金を受け付け、課金処理を行う（ステップＳ４）。
【００６６】
課金部１２０６による課金処理が終了すると、データ取得部１２０９は、ステップＳ１でユーザから要求されたコンテンツに関連するデータを、通信部１２１１、及び通信路１４０を介して、コンテンツ配信サーバ１１０に対して要求する。
このとき、キオスク端末１２０は、コンテンツ配信サーバ１１０に対し、証明書保持部１２０７に保持している自身の公開鍵証明書を送信する。そして、キオスク端末１２０は、コンテンツ配信サーバ１１０による公開鍵認証処理を受ける。キオスク端末１２０は、コンテンツ配信サーバ１１０により、公開鍵証明書が正当であると判断された場合に限り、要求したコンテンツに関連するデータを取得することができ、公開鍵証明書が不正であると判断された場合は、要求したコンテンツに関連するデータを取得することができない。
【００６７】
なお、本実施形態では、コンテンツ配信サーバ１１０による片方向認証を行う構成としているが、コンテンツ配信サーバ１１０とキオスク端末１２０との間で、双方向認証を行うように構成してもよい。
このように、コンテンツ配信サーバ１１０が、キオスク端末１２０を認証することにより、コンテンツ配信システム１では、キオスク端末１２０に成りすまして、不正にコンテンツを取得されることを防止することができる。
【００６８】
コンテンツ配信サーバ１１０による公開鍵証明書の認証が成功した後、データ取得部１２０９は、サーバ側で既にＣＳＳ保護が施されたＤＶＤ−Ｖｉｄｅｏ規格準拠の暗号化コンテンツデータを取得する（ステップＳ５）。
このとき、データ取得部１２０９は、コンテンツＤＢ１１１にて暗号化コンテンツデータと関連付けて管理されている暗号化タイトル鍵、及び暗号化ディスク鍵セットを、コンテンツ配信サーバ１１０から併せて取得する。更に、データ取得部１２０９は、コンテンツ配信サーバ１１０から、コンテンツプロバイダ情報を取得するものとする。
【００６９】
次に、データ書込部１２０５は、データ取得部１２０９が取得したデータを、新型追記型ブランクディスク１４１に書き込む（ステップＳ６）。
より具体的には、データ書込部１２０５は、暗号化タイトル鍵をセクタヘッダ領域に書き込み、暗号化ディスク鍵セットとコンテンツプロバイダ情報とを、リードイン領域に書き込み、暗号化コンテンツデータをデータ領域に書き込む。ここで、データ書込部１２０５は、データ書込制御部１２０８の制御を受けて、各データを各領域へ書き込む。
【００７０】
データ書込部１２０５により全てのデータの書き込みが終了すると、データ書込制御部１２０８は、ディスクへの書き込みが正常に終了したことを確認する。
その後、キオスク端末１２０は、ディスクを外部へ排出し（ステップＳ７）、処理を終了する。
以上で、キオスク端末１２０における処理についての説明を終了する。
【００７１】
（ディスク識別処理の詳細フロー）
図４は、キオスク端末１２０によるディスク識別処理の動作を示すフローチャートである。なお、ここに示す動作は、図３のステップＳ２の詳細である。
物理特性取得部１２０３は、データ読出部１２０４を介して、キオスク端末１２０にセットされたディスクの物理特性を取得する（ステップＳ１１）。ここで取得する物理特性とは、ウォブルの有無を指す。
【００７２】
次に、論理特性取得部１２０２は、データ読出部１２０４を介して、キオスク端末１２０にセットされたディスクの論理特性を取得する（ステップＳ１２）。ここで取得する論理特性とは、「Ｒ／ＲＷ物理フォーマット情報が記録されている領域のデータ」を指す。
続いて、ディスク識別部１２０１は、ステップＳ１１、及びステップＳ１２で取得した特性から、セットされたディスクの種類を識別する（ステップＳ１３）。
【００７３】
具体的には、セットされたディスクの物理特性として、ウォブルが無く、且つ、論理特性として、Ｒ／ＲＷ物理フォーマット情報が全て０埋めされている場合に、ディスク識別部１２０１は、セットされたディスクが新型追記型ブランクディスク１４１であると判断する。
なお、既述のように、ここでは、新型追記型ブランクディスク１４１が持つ物理特性を、ＤＶＤ−Ｒの物理特性であるウォブルが無いこととしているが、これ以外にも、「トラックフォーマットがＬａｎｄ＆Ｇｒｏｏｖｅでない」、「Ｒ−Ｉｎｆｏｒｍａｔｉｏｎ  ａｒｅａが存在しない」、「ウォブルの周波数がＤＶＤ−Ｒ規格で規定されたものと異なる」等、ＤＶＤ−Ｒの物理特性を持たず、ＤＶＤ−Ｒと区別できる物理特性を持つとしてもよい。この場合、ディスク識別部１２０１は、それらの物理特性を用いて、ディスクを識別するように構成してもよい。
【００７４】
また、ディスク識別部１２０１は、複数の物理特性を確認した上で新型追記型ブランクディスク１４１であるか否かを識別しても良いし、いずれか一つの物理特性から、新型追記型ブランクディスク１４１であるか否かを識別してもよい。
また、ここでは、新型追記型ブランクディスク１４１が持つ論理特性を、「Ｒ／ＲＷ物理フォーマット情報が０埋めされている」としているが、これ以外にも、「リードイン領域にコンテンツプロバイダ情報が記録されている」、「予め記録されている物理情報として"ＲＯＭディスク"の値を持つ」等、データ書込み時にＤＶＤ−Ｒと区別することができ、且つ、既存のＤＶＤプレーヤにてＤＶＤ−ＲＯＭと認識されるための論理特性であればよい。この場合、ディスク識別部１２０１は、それらの論理特性を用いて、ディスクを識別するように構成してもよい。また、この場合も、ディスク識別部１２０１は、複数の論理特性を確認した上で新型追記型ブランクディスク１４１であるか否かを識別しても良いし、いずれか一つの論理特性から、新型追記型ブランクディスク１４１であるか否かを識別してもよい。
【００７５】
更に、ディスク識別部１２０１は、物理特性と論理特性との両方を確認せず、いずれか一方の確認結果のみから、セットされたディスクが新型追記型ブランクディスク１４１であるか否かを識別してもよい。
また、ディスク上のファイルシステムに関するデータの有無により、ＤＶＤ−ＲＯＭと新型追記型ブランクディスク１４１との識別も行う。
【００７６】
ディスク上のファイルシステムに関するデータが存在する場合、セットされたディスクがＤＶＤ−ＲＯＭと識別する。なお、本実施の形態では、ＤＶＤ−ＲＯＭと新型追記型ブランクディスク１４１とは物理特性が類似しているため、上述のようにファイルシステムに関するデータの有無で区別しているが、これに限られる物ではない。例えば、従来ＤＶＤ−ＲとＤＶＤ−ＲＯＭとの区別に使っていた物理特性や論理特性を新型追記型ブランクディスクに持たせ、その特性の有無により、新型追記型ディスクであるかＤＶＤ−ＲＯＭディスクであるかを識別してもよい（このとき、新型追記形ディスク１４１に持たせる特性は、識別処理の混乱を防ぐため、ＤＶＤ−Ｒと新型追記型ディスク１４１との識別に用いる特性とは異なる特性である方がよいことは言うまでもない）。すなわち、ＤＶＤ−ＲＯＭと新型追記型ブランクディスク１４１との識別方法は、２つのディスクの物理特性、論理特性の相違点を用いて識別すればよく、前述の方法に限るものではない。
【００７７】
以上で、ディスク識別処理についての説明を終了する。
次に、新型追記型ブランクディスク１４１について説明する。
（新型追記型ブランクディスク１４１の物理的特性）
ここでは、新型追記型ブランクディスク１４１の構成について説明する。
新型追記型ブランクディスク１４１の基本仕様は、
寸法              直径１２０ｍｍ、厚さ０．６ｍｍの
基板張り合わせ
データ容量        ４．７０ギガバイト／１面
レーザー波長      ６５０ｎｍ
トラックピッチ    ０．７４μｍ
反射率            ４５〜８５％
対物レンズＮＡ    ０．６０
変調方式          ８／１６変調
とする。
【００７８】
図５（ａ）に示すように、新型追記型ブランクディスク１４１は、内周のリードイン領域２０１、外周のリードアウト領域２０３、及びそれらの間に位置するデータ領域２０２から構成され、内周から外周に向けてらせん状に記録領域を有する。
リードイン領域２０１には、ディスクプレーヤ１３０のドライブ部の制御に必要な情報が記録されている。
【００７９】
それらの情報はコントロールデータとして、データ領域２０２のスタート半径２４ｍｍの内側１７．５トラックから約１０５トラックに記述される。コントロールデータの最初の１セクタが、ディスクの物理特性を示す物理フォーマット情報である。
データ領域２０２は、キオスク端末１２０にて書き込まれるコンテンツデータを記録する領域である。
【００８０】
リードアウト領域２０３は、データ領域２０２の終端を示すための領域であってデータは何も記録されない。
リードイン領域２０１、データ領域２０２、及びリードアウト領域２０３から成る領域を、Ｉｎｆｏｒｍａｔｉｏｎ  ａｒｅａと呼称する。
なお、従来のＤＶＤ−Ｒでは、Ｉｎｆｏｒｍａｔｉｏｎ  ａｒｅａの更に内周に、Ｒ−Ｉｎｆｏｒｍａｔｉｏｎ  ａｒｅａという記憶領域が存在する。一方、新型追記型ブランクディスク１４１では、従来のＲ−Ｉｎｆｏｒｍａｔｉｏｎ  ａｒｅａに相当する領域である領域２０４を備えるが、領域２０４には、記録膜が存在しない。
【００８１】
図５（ｂ）は、新型追記型ブランクディスク１４１のトラックフォーマットを説明するための模式図である。
新型追記型ブランクディスク１４１は、トラックフォーマットとして、螺旋状にグルーブ（溝部）３１１及びランド（溝間部）３１２を有する。トラックピッチは、０．７４μｍである。
【００８２】
グルーブ３１１は、レーザー光の案内溝であり、記録時にはグルーブ３１１にデータが記録される。また、ランド３１２には、複数個のランドプリピット３１３が周期的に形成されている。ランドプリピット３１３は、所定の周期でランド上に配置される孤立ピットであり、データ記録時の位置決め、及び記録アドレス、その他の記録に必要な情報の取得に用いられる。
【００８３】
新型追記型ブランクディスク１４１のグルーブ３１１は、グルーブウォブルの振幅が０である。これは、ＤＶＤ−Ｒ規格に準拠した従来のディスクと異なり、新型追記型ブランクディスク１４１の独自の特徴である。
この様に、新型追記型ブランクディスク１４１は、従来のＤＶＤ−Ｒが有する物理特性とは異なる物理特性を有する。これにより、キオスク端末１２０は、記録媒体にコンテンツデータを書き込む前に、記録媒体の物理特性としてトラックフォーマットを示す情報を取得して、それに基づき、コンテンツデータを書き込もうとしている記録媒体が、従来のＤＶＤ−Ｒであるのか、新型追記型ブランクディスク１４１であるのか判別することが可能となる。
【００８４】
また、新型追記型ブランクディスク１４１は、図５（ｂ）に示すように、ポリカーボネート樹脂層３０１、記録層３０２、反射層３０３、及び保護層３０４から成る基板が、接着面３０５において、同一構造の基板であるダミー基板３０６と張り合わされた構造を有する。なお、図５（ａ）では、ダミー基板の一部しか図示していない。
図６は、新型追記型ブランクディスク１４１の断面を示した図である。同図を用いて、ポリカーボネート樹脂層３０１、記録層３０２、反射層３０３、保護層３０４、接着面３０５、及びダミー基板３０６について説明する。
【００８５】
ポリカーボネート樹脂層３０１は、基板を作成するための金型であるスタンパにポリカーボネート樹脂を射出して生成される。スタンパの製造方法については後述する。
記録層３０２は、ポリカーボネート樹脂層３０１と反射層３０３とに密接している。記録層３０２は、ポリカーボネート樹脂層３０１に記録膜を塗布することにより生成される。新型追記型ブランクディスク１４１は、記録膜として、シアニン系、フタロシアニン系等の熱分解温度の低い有機色素を用いる。
【００８６】
データ記録時には、レーザー光で有機色素の化学的状態を変化させることにより記録を行う。具体的には、熱により記録層３０２と隣接する基板（ポリカーボネート樹脂層３０１）とを溶解する。有機色素とポリカーボネート樹脂とが混合されることにより、反射率位相特性等の光学的特性が変化し、記録マークを形成することができる。
ここで、新型追記型ブランクディスク１４１の特徴として、Ｉｎｆｏｒｍａｔｉｏｎ  ａｒｅａの内周に存在する領域２０４、即ち、従来のＤＶＤ−Ｒ、及びＤＶＤ−ＲＷに存在するＲ−Ｉｎｆｏｒｍａｔｉｏｎ  ａｒｅａに相当する領域には、有機色素の記録膜が存在しない。
【００８７】
反射層３０３は、記録層３０２に密着して設けられる。反射層３０３は、記録層３０２の反射率を高めるためのアルミ層である。反射層３０３は、ディスクプレーヤ１３０によるデータ読取時に、記録層３０２を通過した光を反射させ、ディスクプレーヤ１３０による記録信号の読み取り効率を高める。
保護層３０４は、ディスクの傷及び歪み等からデータを保護するためのＵＶ硬化樹脂の層である。
【００８８】
接着面３０５は、上記のポリカーボネート樹脂層３０１、記録層３０２、反射層３０３、及び保護層３０４から構成される基板と、ダミー基板３０６とを貼り合わせた面である。貼り合わせには、例えばホットメルト接着を用いる。ダミー基板３０６は、ディスクの反りを防止することを目的としており、その為、基板と同一の構造を有する。
（新型追記型ブランクディスク１４１の論理的特性）
図７は、コンテンツデータが記録される前の新型追記型ブランクディスク１４１の論理データを示す図である。
【００８９】
リードイン領域２０１には、コントロールデータが記録されている。コントロールデータには、物理フォーマット情報４０１が含まれる。
物理フォーマット情報４０１は、Ｒ／ＲＷフォーマット情報４１１、ＲＯＭフォーマット情報４１２、バージョン情報４１３、サイズ４１４、最大転送レート情報４１５、層数４１６、記録線密度４１７、トラック密度４１８、及びトラックパス方向４１９等から構成される。
【００９０】
新型追記型ブランクディスク１４１の物理フォーマット情報４０１としては、上記以外の情報が含まれていてもよい。
ここで、新型追記型ブランクディスク１４１の物理フォーマット情報として特徴的なのは、以下の２点である。
（ａ）Ｒ／ＲＷフォーマット情報４１１に、全て０が記述されている。
【００９１】
（ｂ）ＲＯＭフォーマット情報４１２に、ＲＯＭディスクであることを示す値が記述されている。
従来のＤＶＤ−Ｒは、Ｒ／ＲＷフォーマット情報４１１が記録されている領域には、ＤＶＤ−Ｒであることを示すビット列が記録されていた。
しかし、本願の新型追記型ブランクディスク１４１では、Ｒ／ＲＷフォーマット情報４１１が記録されている領域を全て０埋めする。これにより、キオスク端末１２０は、新型追記型ブランクディスク１４１にデータを記録する際には、当該ディスクが従来のＤＶＤ−Ｒと異なるディスクであると判断することが出来る。なお、Ｒ／ＲＷフォーマット情報４１１が全て０埋めされているのは一例であり、これ以外にも、全て１を埋め込むなど、全て同一の値を埋め込んだり、ＤＶＤ−Ｒであることを示すビット列と異なる任意の値を埋め込む等、従来のＤＶＤ−Ｒと異なるディスクであると判断することが出来るようなデータを埋め込むように構成してもよい。
【００９２】
また、従来のＤＶＤ−Ｒは、物理フォーマット情報４０１に、ＲＯＭディスクであることを示す値は記述されていなかった。
しかし、本願の新型追記型ブランクディスク１４１では、追記型ディスクでありながら、ＲＯＭディスクであることを示す物理フォーマット情報を有する。
ディスクプレーヤ１３０は、ディスクの物理フォーマット情報を読み込むことにより、ディスク種別を判断するので、新型追記型ブランクディスク１４１は、コンテンツ再生時には、ディスクプレーヤ１３０にてＤＶＤ−ＲＯＭとして扱われる。
【００９３】
従って、ディスクプレーヤ１３０は、ＣＳＳで保護されたコンテンツデータが、新型追記型ブランクディスク１４１に記録されている場合であっても、コンテンツデータを再生することが可能となる。
データ領域２０２は、キオスク端末１２０にて書き込まれるコンテンツデータを記録する領域である。
【００９４】
データ領域２０２は、セクタ単位に区切られており、各セクタは、セクタを識別するためのセクタ番号を含むヘッダ領域と、データが記録されるデータ領域と、データ読み出し時の読み出し誤りを訂正するための符号が記録されるＥＣＣ（ＥｒｒｏｒＣｏｒｒｅｃｔｉｏｎ  Ｃｏｄｅ）領域等から構成される。
なお、従来のＤＶＤメディアと同様に、新型追記型ブランクディスク１４１のデータ領域２０２は、ファイルシステムとしてＵＤＦ（Ｕｎｉｖｅｒｓａｌ  Ｄｉｓｋ  Ｆｏｒｍａｔ）を用いる。
【００９５】
新型追記型ブランクディスク１４１にコンテンツデータを記録した後の記録済みディスク１４２については後述する。
（新型追記型ブランクディスク１４１の製造方法）
図８は、新型追記型ブランクディスク１４１の製造方法を示すフローチャートである。
先ず、スタンパを作成する（ステップＳ１０１）。
【００９６】
ステップＳ１０２以降では、ステップＳ１０１で作成されたスタンパを金型として用い、複数の新型追記型ブランクディスク１４１を作成していく。
先ず、ステップＳ１０１で作成されたスタンパに、ポリカーボネート樹脂を射出して、ポリカーボネート基板を生成する（ステップＳ１０２）。
次に、ポリカーボネート基板の平らな面側に、紫外線（ＵＶ）硬化樹脂を塗布した後に、紫外線を照射し、コーティングする（ステップＳ１０３）。
【００９７】
次に、ステップＳ１０３でＵＶ硬化樹脂をコーティングした面とは反対側の面、即ち、グルーブ３１１、ランド３１２、及びランドプリピット３１３が形成されている面側に、スピンコート法で有機色素を塗布し、記録層を生成する（ステップＳ１０４）。
ここで、ステップＳ１０４の記録層の生成処理では、先に述べたように、ディスクのＩｎｆｏｒｍａｔｉｏｎ  ａｒｅａのみに有機色素を塗布し、Ｉｎｆｏｒｍａｔｉｏｎ  ａｒｅａの内周には、有機色素を塗布しない。このようにすることで、ＤＶＤ−Ｒが備える記憶領域であるＲ−Ｉｎｆｏｒｍａｔｉｏｎ  ａｒｅａを備えない新型追記型ブランクディスク１４１を製造することが出来る。
【００９８】
続いて、スパッタリング法を用いて、記録層の上に反射層を生成する（ステップＳ１０５）。
次に、ＵＶ硬化樹脂でオーバコートして保護層を生成する（ステップＳ１０６）。
続いて、ディスクの反りを防止するために、ダミー基板を張り合わせてディスク自体が完成する（ステップＳ１０７）。
【００９９】
そして、完成したディスクに、記録層を初期化するために、結晶化温度に加熱し結晶化を行う（ステップＳ１０８）。
最後に、ディスクをプリフォーマットして（ステップＳ１０９）、新型追記型ブランクディスク１４１が完成する。プリフォーマットとは、完成したディスク毎に、各ディスクに固有の識別情報や鍵情報等を書き込む処理である。
【０１００】
なお、新型追記型ブランクディスク１４１に、ディスク固有の情報を書き込む必要が無い場合には、ステップＳ１０９のプリフォーマットの処理を省略してもよい。
（スタンパの作成）
図９は、スタンパ製造工程を示すフローチャートである。なお、ここに示す処理は、図８のステップＳ１０１の詳細である。
【０１０１】
先ず、原盤にするガラス板表面を研磨、洗浄する（ステップＳ２０１）。
次に、ガラス板表面に感光剤（レジスト）と塗布する（ステップＳ２０２）。
そして、レジストの塗布面に、トラック及びピットの形状が残るように、レーザービームを露光して、カッティングを行う（ステップＳ２０３）。
ステップＳ２０３では、図５（ｂ）に示したグルーブ３１１、ランド３１２、及び複数個のランドプリピット３１３が形成されるように、カッティングを行う。更に、ステップＳ２０３では、Ｒ／ＲＷ物理フォーマット情報が記録される領域を全て０埋めするようにカッティングを行う。
【０１０２】
その後、レジスト部を現像、及び洗浄することにより（ステップＳ２０４）、表面にレジスト残部による凹凸上のトラック及びピットが形成された原盤が出来上がる。
続いて、原盤のトラック及びピット面に、スパッタリング法でニッケルの薄膜を付着させる（ステップＳ２０５）。
その後、ニッケルの薄膜上にニッケルメッキを施し、電鋳ニッケルメッキ層を形成する（ステップＳ２０６）。
【０１０３】
最後に、ニッケルメッキ層を原盤から剥離させ（ステップＳ２０７）、洗浄、及び研磨することにより、ニッケル製のスタンパが完成する（ステップＳ２０８）。
（記録済みディスク１４２の論理的特性）
図１０は、キオスク端末１２０にて、新型追記型ブランクディスク１４１にコンテンツデータを記録した後の、記録済みディスク１４２の論理データを示す図である。
【０１０４】
記録済みディスク１４２のリードイン領域には、図７で説明した物理フォーマット情報４０１に加え、コンテンツプロバイダ情報４０２と暗号化ディスク鍵セット４０３とが記録されている。
コンテンツプロバイダ情報４０２と暗号化ディスク鍵セット４０３とは、キオスク端末１２０が、新型追記型ブランクディスク１４１にコンテンツデータを書き込む際に、キオスク端末１２０にて書き込まれる。
【０１０５】
従来のＤＶＤ−ＲＯＭでは、コンテンツプロバイダ情報は、製造時に予めリードイン領域に記録される。また、従来のＤＶＤ−Ｒでは、コンテンツプロバイダ情報がリードイン領域に記録されることはない。
従って、本願の新型追記型ブランクディスク１４１は、データ記録後（記録済みディスク１４２）においては、リードイン領域にコンテンツプロバイダ情報が記録され、ＲＯＭディスクと同じ論理的特性を有する。ディスクプレーヤ１３０は、記録済みディスク１４２をＤＶＤ−ＲＯＭと判断するので、記録済みディスク１４２に記録されているＣＳＳで保護されたコンテンツデータを再生することができる。
【０１０６】
記録済みディスク１４２のデータ領域は、ファイルシステムとしてＵＤＦを用い、コンテンツデータを管理する。
図１０に示すように、データ領域には、ボリューム・ファイル管理情報４０４を先頭に、コンテンツデータ＃１ファイル４０５、…、コンテンツデータ＃Ｎファイル４０６、…が記録される。
【０１０７】
ボリューム・ファイル管理情報４０４は、ボリューム記述子４２１、パステーブル４２２、及びディレクトリレコード４２３を含む。
ボリューム記述子４２１は、ボリューム空間のサイズ、パステーブル４２２の記録位置情報、ディレクトリレコード４２３の記録位置情報などが記述されている。
パステーブル４２２は、記録済みディスク１４２に記録されている全てのディレクトリのパスと記録位置情報とを対応付けたテーブルである。
【０１０８】
ディレクトリレコード４２３は、各ディレクトリ又は各ファイルの識別子、データの記録位置情報、ファイルのサイズ、ファイルの属性等が記述されている。より具体的には、ディレクトリレコード４２３は、ルートディレクトリ用ディレクトリレコード（第１セクタ）４３１、ルートディレクトリ用ディレクトリレコード（第２セクタ）４３２、コンテンツデータ＃１ファイル用ディレクトリレコード４３３、…、コンテンツデータ＃Ｎファイル用ディレクトリレコード４３４から構成される。
【０１０９】
コンテンツデータ＃Ｎファイル４０６は、暗号化タイトル鍵４４１と暗号化コンテンツ４４２とを含む。
ＣＳＳは、先に述べたように、タイトル鍵、ディスク鍵、及びマスタ鍵の３種類の４０ビット暗号鍵が階層的に使用される。
タイトル鍵はコンテンツの暗号化に用いられ、ディスク鍵はタイトル鍵の暗号化に用いられ、マスタ鍵はディスク鍵の暗号化に用いられる。なお、マスタ鍵は、ＣＳＳ機器製造ライセンス受領者に対して個別に与えられる鍵であり、本実施形態では、ディスクプレーヤ１３０がセキュアに実装している。
【０１１０】
従って、ディスクプレーヤ１３０にて暗号化コンテンツ４４２を復号する際には、先ず、ディスクプレーヤ１３０は、セキュアに保持しているマスタ鍵を復号鍵として用いて暗号化ディスク鍵を復号し、ディスク鍵を生成する。次に、ディスク鍵を復号鍵として用いて暗号化タイトル鍵を復号し、タイトル鍵を生成する。続いて、タイトル鍵を復号鍵として用いて暗号化コンテンツ４４２を復号し、コンテンツを生成する。
【０１１１】
（新型追記型ブランクディスク１４１の変形例）
ここでは、新型追記型ブランクディスク１４１の変形例について説明する。
（ａ）第１の変形例
第１の変形例に係る新型追記型ブランクディスクの基本仕様は、新型追記型ブランクディスク１４１と同様である。
【０１１２】
また、第１の変形例に係る新型追記型ブランクディスクは、図６を用いて説明した新型追記型ブランクディスク１４１と同一のポリカーボネート樹脂層３０１、記録層３０２、反射層３０３、保護層３０４、接着面３０５、及びダミー基板３０６から構成される。
図１１は、第１の変形例に係る新型追記型ブランクディスクのトラックフォーマットを説明するための模式図である。
【０１１３】
第１の変形例に係る新型追記型ブランクディスクは、ランド及びグルーブの無い平らなディスク上に、複数個のアドレス用ピット３１３ａが形成されている。
図１２は、アドレス用ピット３１３ａの配置を模式的に示している。アドレス用ピット３１３ａは、ディスクの内周から外周にかけてトラックピッチを形成するように、螺旋状に、所定間隔で配置されている。
【０１１４】
キオスク端末１２０によるデータ記録時には、このように配置されたアドレス用ピット３１３ａを用いて、記録位置の決定を行う。
第１の変形例に係る新型追記型ブランクディスクは、「トラックフォーマットがＬａｎｄ＆Ｇｒｏｏｖｅでない」という点で、新型追記型ブランクディスク１４１と異なる以外は、その他の物理特性、及び論理特性は、新型追記型ブランクディスク１４１と同様であるとする。
【０１１５】
第１の変形例に係る新型追記型ブランクディスクの製造方法は、図８及び図９で説明した新型追記型ブランクディスク１４１の製造方法と概ね同様であるが、図９のステップＳ２０３「カッティング」の処理が異なる。
第１の変形例に係る新型追記型ブランクディスクのスタンパ作成処理では、ステップＳ２０３のカッティング処理において、ランド及びグルーブが無く、複数個のアドレス用ピットが形成されるようにカッティングを行う。
【０１１６】
第１の変形例に係る新型追記型ブランクディスクは、トラックフォーマットが明らかに従来のＤＶＤ−Ｒと異なるため、キオスク端末１２０は、記録媒体にコンテンツデータを書き込む前に、記録媒体の物理特性としてトラックフォーマットを示す情報を取得して、それに基づき、コンテンツデータを書き込もうとしている記録媒体が、従来のＤＶＤ−Ｒであるのか、新型追記型ブランクディスクであるのか判別することが可能となる。
【０１１７】
また、第１の変形例に係る新型追記型ブランクディスクは、図７に示した物理フォーマット情報４０１を保持していることから、コンテンツ再生時には、ディスクプレーヤ１３０にてＤＶＤ−ＲＯＭとして扱われる。従って、ディスクプレーヤ１３０は、ＣＳＳで保護されたコンテンツデータが、第１の変形例に係る新型追記型ブランクディスクに記録されている場合であっても、コンテンツデータを再生することが可能となる。
【０１１８】
（ｂ）第２の変形例
第２の変形例に係る新型追記型ブランクディスクの基本仕様は、新型追記型ブランクディスク１４１と同様である。
また、第２の変形例に係る新型追記型ブランクディスクは、図６を用いて説明した新型追記型ブランクディスク１４１と同一のポリカーボネート樹脂層３０１、記録層３０２、反射層３０３、保護層３０４、接着面３０５、及びダミー基板３０６から構成される。
【０１１９】
図１３は、第２の変形例に係る新型追記型ブランクディスクのトラックフォーマットを説明するための模式図である。
第２の変形例に係る新型追記型ブランクディスクは、螺旋状にグルーブ３１１ｂ、及びランド３１２ｂを有し、ランド３１２ｂ上には、複数個のランドプリピット３１３ｂが周期的に配置されている。トラックピッチは、０．７４μｍである。
【０１２０】
なお、図１３に示すように、グルーブ３１１ｂはウォブリングされている。
図１４は、第２の変形例に係る新型追記型ブランクディスクのグルーブウォブルについて説明するための図である。
図１４（ａ）に示すように、従来のＤＶＤ−Ｒは、トラックフォーマットとしてランド＆グルーブを用いている。ディスク上にはグルーブ５０１及びランド５０２が形成されており、ランド上には、所定周期で複数個のランドプリピット５０３が形成されている。
【０１２１】
そして、従来のＤＶＤ−Ｒのグルーブウォブルの周波数は、１４０．６４５ｋＨｚである。これは、ＤＶＤ−Ｒ規格により規定された値である。
一方で、図１４（ｂ）に示すように、第２の変形例に係る新型追記型ブランクディスクのグルーブウォブルの周波数は、２８０ｋＨｚである。
第２の変形例に係る新型追記型ブランクディスクは、グルーブがウォブリングされているという点で新型追記型ブランクディスク１４１と異なる以外は、その他の物理特性、及び論理特性は、新型追記型ブランクディスク１４１と同様であるとする。
【０１２２】
第２の変形例に係る新型追記型ブランクディスクの製造方法は、図８及び図９で説明した新型追記型ブランクディスク１４１の製造方法と概ね同様であるが、図９のステップＳ２０３「カッティング」の処理が異なる。
第２の変形例に係る新型追記型ブランクディスクのスタンパ作成処理では、ステップＳ２０３のカッティング処理において、周波数２８０ｋＨｚでウォブリングされたグルーブ、ランド、及び複数個のランドプリピットが形成されるようにカッティングを行う。
【０１２３】
第２の変形例に係る新型追記型ブランクディスクは、グルーブウォブルの周波数が明らかに従来のＤＶＤ−Ｒと異なるため、キオスク端末１２０は、記録媒体にコンテンツデータを書き込む前に、記録媒体の物理特性としてグルーブウォブルの周波数を取得して、それに基づき、コンテンツデータを書き込もうとしている記録媒体が、従来のＤＶＤ−Ｒであるのか、新型追記型ブランクディスクであるのか判別することが可能となる。
【０１２４】
また、第２の変形例に係る新型追記型ブランクディスクは、図７に示した物理フォーマット情報４０１を保持していることから、コンテンツ再生時には、ディスクプレーヤ１３０にてＤＶＤ−ＲＯＭとして扱われる。従って、ディスクプレーヤ１３０は、ＣＳＳで保護されたコンテンツデータが、第２の変形例に係る新型追記型ブランクディスクに記録されている場合であっても、コンテンツデータを再生することが可能となる。
【０１２５】
なお、第２の変形例に係る新型追記型ブランクディスクは、グルーブウォブルの周波数が２８０ｋＨｚとしたのは、一例であり、これ以外の周波数でウォブリングされていてもよい。例えば、新型追記型ブランクディスクのウォブル周波数は、７０ｋＨｚ等、従来のＤＶＤ−Ｒのウォブル周波数＝１４０．６４５ｋＨｚの分数倍や整数倍の値に設定してもよい。更には、１４０．６４５ｋＨｚの分数倍や整数倍に限らず、コンテンツデータを書き込むキオスク端末１２０にて、ＤＶＤ−Ｒのグルーブウォブルと区別できる値であればよい。
【０１２６】
＜その他の変形例＞
なお、本発明を、上記の実施形態に基づき説明してきたが、本発明は上記の実施形態に限定されないのは勿論であり、以下のような場合も、本発明に含まれる。
（１）上記の実施形態では、コンテンツＤＢ１１１が、暗号化コンテンツデータ、暗号化タイトル鍵、及び暗号化ディスク鍵セットを関連付けて管理する構成を有しているが、本発明は、この構成に限定されず、キオスク端末１２０にて、新型追記型ブランクディスクに、これらのデータを書き込む前に、上記３つのデータが揃っていればよい。
【０１２７】
例えば、暗号化ディスク鍵セットは予め、新型追記型ブランクディスク１４１のリードイン領域に記録されていてもよい。この場合、ステップＳ５（図３）にて、キオスク端末１２０はディスクから読み出した暗号化ディスク鍵をコンテンツ配信サーバ１１０に送信する。コンテンツ配信サーバ１１０は、キオスク端末１２０から受信した暗号化ディスク鍵を、自身が保持するマスタ鍵で復号した上で、要求されたコンテンツのＡＶデータを暗号化しているタイトル鍵を暗号化して暗号化タイトル鍵を作成する。その後、作成した暗号化タイトル鍵と、暗号化コンテンツデータをキオスク端末１２０に送信する。この時、タイトル鍵の暗号化処理を、キオスク端末１２０で行っても構わない。
【０１２８】
また、コンテンツＤＢ１１１では平文のＡＶデータしか扱わず、コンテンツデータの暗号化、タイトル鍵の作成、及び暗号化をキオスク端末１２０で行っても構わない。また、この暗号化ディスク鍵がリードイン領域に記録されていることを、ディスクの論理特性として、Ｓ２のディスク識別を行っても構わない。あるいは、キオスク端末１２０がマスタ鍵を保持し、当該マスタ鍵で復号した結果として得られたタイトル鍵を、安全な通信路でコンテンツ配信サーバ１１０に送信する構成であってもよい。
【０１２９】
（２）また、上記の実施形態では、ステップＳ５において、キオスク端末１２０とコンテンツ配信サーバ１１０と間で認証処理を行っているが、コンテンツデータが正規のディスクに記録されることが保証できれば、これに限らない。
例えば、予め、新型追記型ブランクディスク１４１にディスク証明書を記録しておき、コンテンツ配信サーバ１１０で新型追記型ブランクディスク１４１を認証してもよい。
【０１３０】
また、この場合には、キオスク端末１２０は、「ディスク内に、ディスク証明書が記録されている」という論理特性用いて、ステップ２のディスク識別を行ってもよい。
更に、前記ディスク証明書は、新型追記型ブランクディスク１４１を識別する識別子（例えばメディアＩＤ）に基づいて保護されている構成であってもよい。この保護の方法としては、識別子に基づき証明書を暗号化してもよいし、識別子に基づきディスク証明書の認証子を生成して記録してもよい。これら以外にも、広く一般に使用されている公知の保護技術を用いてもよい。
【０１３１】
更に、前記ディスク証明書は、証明書自身（証明書のエントリー）に識別子、又は識別子に基づくデータを書き込み、証明書とディスクとを１対１に対応付ける構成であってもよい。
更に、識別子の一部を、ディスク製造メーカを識別するＩＤと対応付けてもよい。この場合、識別子の一部が、ディスク製造メーカを識別するＩＤと一致することを利用して、証明書とディスクとをユニークに１対１に対応付けるのではなく、ある製造数単位毎に、又はディスク製造メーカごとに証明書を対応付ける構成であってもよい。
【０１３２】
このような構成で証明書とディスクとを対応付けることにより、証明書を不正にコピーして使い回すという不正行為を防止することが可能となる。
更に、証明書に限らず、証明書と同等の効果を有し、その正当性が検証可能なデータであれば如何なる構成であってもよい。
（３）上記の実施形態では、新型追記型ブランクディスク１４１は、ＤＶＤと互換性のあるディスクとしているが、本発明に係る新型追記型ブランクディスクは、Ｂｌｕ−ｒａｙディスク等、他の記録型ディスクであってもよい。
【０１３３】
なお、この場合であっても、新型追記型ブランクディスク１４１は、データ書き込み時には、追記型ディスクとして認識され、データ記録後は、出荷済みのプレーヤで再生可能な物理特性、論理特性、若しくはその両方の特性を持つものとする。
（４）上記の実施形態では、新型追記型ブランクディスク１４１は、追記型ディスクとしているが、データ記録後、出荷済みのプレーヤで再生可能なディスクとして認識される特性を持つのであれば、書換型ディスクでもよい。
【０１３４】
（５）上記の実施形態では、物理特性、論理特性、又はその両方を用いてディスクを識別する構成としたが、本発明はこの構成に限定されるものではない。
例えば、コンテンツの再生に必要なプログラム、又はその一部を予めディスクに記録しておき、当該プログラム、又はその一部の有無により、ディスクの識別を行う構成であってもよい。また、前記プログラム、又はその一部の正当性を検証することによりディスクの識別を行う構成であってもよい。
【０１３５】
前記プログラム、又はその一部を動作させることによってディスクの識別を行うように構成してもよいし、前記プログラム、又はその一部に付与されている署名を検証することによりディスクの識別を行うように構成してもよい。
更に、前記プログラム、又はその一部は、新型追記型ブランクディスクを識別する識別子（例えばメディアＩＤ）に基づいて保護されている構成であってもよい。この保護の方法としては、識別子に基づきプログラム、又はその一部を暗号化してもよいし、識別子に基づきプログラム、又はその一部の認証子を生成して記録してもよい。また、これら以外にも、広く一般に使用されている公知の保護技術を用いて実現してもよい。
【０１３６】
さらに、プログラム、又はその一部に識別子、又は識別子に基づくデータを書き込み、プログラム、又はその一部とディスクを１対１に対応付ける構成であってもよい。
さらに、識別子の一部がディスク製造メーカを識別するＩＤと一致することを利用して、１対１ではなく、ある製造数単位、又はディスク製造メーカごとにプログラム、又はその一部を対応付ける構成であってもよい。
【０１３７】
このような構成でプログラム、又はその一部とディスクとを関連付けることにより、不正にプログラム、又はその一部をコピーして使いまわす不正を防止することが可能となる。
（６）上記の実施形態では、キオスク端末１２０は、ネットワーク１４０を介して、コンテンツ配信サーバ１１０からコンテンツデータを取得する構成を有しているが、キオスク端末１２０は、新型追記型ブランクディスク１４１に書き込むデータを取得できれば、この構成に限定されない。例えば、キオスク端末１２０は、ＨＤＤなどの記録媒体を用いてコンテンツデータを取得する構成であってもよい。
【０１３８】
（７）上記の実施形態では、ディスク上のコンテンツの著作権保護技術としてＣＳＳを用いているが、コンテンツの著作権を保護するための技術であれば、これに限るものではなく、例えばＡＡＣＳ（Ａｄｖａｎｃｅｄ  Ａｃｃｅｓｓ  Ｃｏｎｔｅｎｔ  Ｓｙｓｔｅｍ）を用いてもよい。
その場合、ＡＡＣＳに関連する鍵データ（例えばＭＫＢ）を予め新型追記型ブランクディスク１４１に記録しておき、ＭＫＢの有無により、ディスク識別を行う構成であってもよい。また、ＭＫＢが備える識別子を利用して、ディスク識別を行う構成あってもよい。
【０１３９】
また、上記の実施形態で用いるＣＳＳは、マスタ鍵でディスク鍵を暗号化し、ディスク鍵でタイトル鍵を暗号化し、タイトル鍵でコンテンツを暗号化する３階層であった。しかし、本発明は、その構成に限定されるものではない。
本発明は、新たな鍵を導入して３階層以上の構成としてもよいし、ディスク鍵で直接コンテンツを暗号化するなど、２階層、又は１階層の構成であってもよい。
【０１４０】
（８）上記の実施形態では、ユーザが直接入力等を行うキオスク端末１２０を用いて、ディスクへコンテンツデータの書き込みを行う構成としたが、この構成は必須ではない。
ディスクにコンテンツデータを書き込む端末装置は、キオスク端末１２０のように、ユーザが自ら操作する端末装置に限らず、ユーザから書き込み依頼を受けた店員等が使用する端末装置であってもよい。
【０１４１】
（９）また、本発明において、ディスクにコンテンツデータを書き込む端末装置は、キオスク端末１２０のように店頭に設置される機器ではなく、ＤＶＤレコーダ等の民生機器であってもよい。
この場合、端末装置は、課金部１２０６を備えずに、別途インターネット経由等でクレジットカード等による決済を行う決済処理部を備えるように構成してもよい。
【０１４２】
また、この場合の端末装置は、表示部１２１２を備えず、テレビ等の外部の映像装置に映像を出力する映像出力部を備える。また、この場合、操作部１２１１はリモコンとなる。
端末装置は、映像出力部に接続されたテレビ等の映像装置に情報を表示し、ユーザは映像装置の情報を見ながら、リモコンを使って操作を行う。
【０１４３】
なお、この場合の端末装置の動作は、図３及び図４で示したキオスク端末の動作と同様であるが、ステップＳ４で行うユーザからの課金受付は、決済処理部にてインターネット経由でクレジットカード等による決済を行うものとする。
この構成を有することにより、ユーザは店頭に出向くことなく、新しいＤＶＤタイトルを購入することが可能となる。なお、決済処理部は、端末装置内部の構成要素であることは必須ではなく、端末装置に付随する別個の装置として実現するように構成してもよい。
【０１４４】
（１０）ディスクプレーヤ１３０は、ＤＶＤレコーダ等の従来からある民生機器を用いることが出来る。それは、先に説明したように、従来からある民生機器は、新型追記型ブランクディスク１４１にデータを記録した記録済みディスク１４２を、ＤＶＤ−ＲＯＭと認識するからである。
しかしながら、ディスクプレーヤ１３０は、従来からある民生機器が備える機能部（媒体入出力部、デコード部、再生部、ネットワーク接続部、操作入力部、映像出力部等）に加え、上記の実施形態で説明したキオスク端末１２０が備えるディスク識別部１２０１、論理特性取得部１２０２、及び物理特性取得部１２０３と同様の機能部を備えるように構成してもよい。
【０１４５】
具体的に、ディスクプレーヤ１３０の物理特性取得部は、ディスクドライ ブで構成され、論理特性取得部及びディスク識別部は、ＣＰＵ及びワークメモリを使って動作するソフトウェアであるとする。
ディスクプレーヤ１３０は、自装置にディスクが挿入されると、キオスク端末１２０が図３のステップＳ２で行うディスク識別処理と同様の処理を行うことにより、挿入されたディスクの種別を識別する。        
【０１４６】
そして、ディスク識別処理の結果、挿入されたディスクが新型の記録済みディスク１４２であると判定されると、ディスクプレーヤ１３０は、挿入されたディスクをＤＶＤ−ＲＯＭとして扱い、ＤＶＤ−ＲＯＭと同様の再生処理を行うように構成してもよい。
（１１）上記の実施形態に含まれる各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。
【０１４７】
ここでコンピュータプログラムは、所定の機能を達成するために、コンピュータに対する指令を示す命令コードが複数個組み合わされて構成されたものである。
なお、各装置は、マイクロプロセッサ、ＲＯＭ、ＲＡＭ、ハードディスクユニット、ディスプレイユニット、キーボード、マウスなどの全てを含むコンピュータシステムに限らず、これらの一部から構成されているコンピュータシステムであってもよい。
【０１４８】
（１２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０１４９】
また、上記の各装置を構成する構成要素の各部は、個別に１チップ化されていても良いし、一部又は全てを含むように１チップ化されてもよい。
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０１５０】
更には、半導体技術の進歩又は派生する別技術によりＬＳＩに置き換わる集積回路化の技術が登場すれば、当然、その技術を用いて機能ブロックの集積化を行ってもよい。バイオ技術の適用などが可能性としてあり得る。
（１３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０１５１】
（１４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。
【０１５２】
また、本発明は、前記コンピュータプログラムまたは前記デジタル信号を、電気通信回線、無線または有線通信回線、インターネットを代表とするネットワーク、データ放送等を経由して伝送するものとしてもよい。
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０１５３】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
（１５）上記実施形態及び上記変形例をそれぞれ組み合わせるとしてもよい。
【産業上の利用可能性】
【０１５４】
本発明は、従来あるＣＳＳ技術を用いたコンテンツを、キオスク端末を用いてユーザに販売する産業において利用することが可能である。
また、本発明に係る新型追記型ブランクディスクを製造及び販売する産業においても利用することが可能である。
【図面の簡単な説明】
【０１５５】
【図１】コンテンツ配信システム１の全体構成を示す図である。
【図２】キオスク端末１２０の構成を機能的に示す機能ブロック図である。
【図３】キオスク端末１２０におけるコンテンツ販売処理の動作を示すフローチャートである。
【図４】キオスク端末１２０におけるディスク識別処理の動作を示すフローチャートである。
【図５】（ａ）新型追記型ブランクディスク１４１の図である。（ｂ）新型追記型ブランクディスク１４１のトラックフォーマットを説明するための概略図である。
【図６】新型追記型ブランクディスク１４１の物理的な構造を示すための概略図である。
【図７】新型追記型ブランクディスク１４１の論理データを示す図である。
【図８】新型追記型ブランクディスク１４１の製造方法を示すフローチャートである。
【図９】新型追記型ブランクディスク１４１のスタンパ作成処理の動作を示すフローチャートである。
【図１０】記録済みディスク１４２の論理データを示す図である。
【図１１】第１の変形例に係る新型追記型ブランクディスクのトラックフォーマットを説明するための概略図である。
【図１２】第１の変形例に係る新型追記型ブランクディスクのトラックフォーマットを説明するための概略図である。
【図１３】第２の変形例に係る新型追記型ブランクディスクのトラックフォーマットを説明するための概略図である。
【図１４】第２の変形例に係る新型追記型ブランクディスクのグルーブウォブルについて説明するための図である。
【符号の説明】
【０１５６】
１ コンテンツ配信システム
１１０ コンテンツ配信サーバ
１１１  コンテンツＤＢ
１２０ キオスク端末
１３０ ディスクプレーヤ
１４０ 通信路
１４１ 新型追記型ブランクディスク
１４２ 記録済みディスク
２０１ リードイン領域
２０２ データ領域
２０３ リードアウト領域
３０１ ポリカーボネート樹脂層
３０２ 記録層
３０３ 反射層
３０４ 保護層
３０５ 接着面
３０６ ダミー基板
３１１ グルーブ
３１１ｂ グルーブ
３１２ ランド
３１２ｂ ランド
３１３ａ アドレス用ピット
３１３ ランドプリピット
３１３ｂ ランドプリピット
１２０１ ディスク識別部
１２０２ 論理特性取得部
１２０３ 物理特性取得部
１２０４ データ読出部
１２０５ データ書込部
１２０６ 課金部
１２０７ 証明書保持部
１２０８ データ書込制御部
１２０９ データ取得部
１２１０ 通信部
１２１１ 操作部
１２１２ 表示部
【手続補正３】
【補正対象書類名】図面
【補正対象項目名】全図
【補正方法】変更
【補正の内容】
【図１】
2008016008.tif 000017
【図２】
2008016008.tif 000018
【図３】
2008016008.tif 000019
【図４】
2008016008.tif 000020
【図５】
2008016008.tif 000021
【図６】
2008016008.tif 000022
【図７】
2008016008.tif 000023
【図８】
2008016008.tif 000024
【図９】
2008016008.tif 000025
【図１０】
2008016008.tif 000026
【図１１】
2008016008.tif 000027
【図１２】
2008016008.tif 000028
【図１３】
2008016008.tif 000029
【図１４】
2008016008.tif 000030
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
外部の記録媒体から、前記記録媒体のグルーブウォブルの特性を取得する取得手段と、
取得した前記記録媒体のグルーブウォブルが、ＤＶＤ−Ｒ規格で規定されているグルーブウォブルと区別できる特性を有し、かつ、前記記録媒体が、ＤＶＤ−ＲＯＭ規格と互換性を有する追記型の記録媒体であるか否かを判定する判定手段と、
前記判定手段による判定の結果が否定的である場合に、前記記録媒体へのデータの書き込みを行わず、前記判定手段による判定の結果が肯定的である場合に、前記記録媒体にデータを書き込む書込手段と
を備えることを特徴とするデータ記録装置。
【請求項２】
前記書込手段は、前記データが、ＣＳＳ（Ｃｏｎｔｅｎｔ Ｓｃｒａｍｂｌｉｎｇ  Ｓｙｓｔｅｍ）で保護されたＤＶＤ−Ｖｉｄｅｏ規格に準拠したデータであるか否かを判定し、前記データが、ＣＳＳで保護されたＤＶＤ−Ｖｉｄｅｏ規格に準拠したデータである場合は、前記判定手段による前記判定の結果が肯定的である場合にのみ、前記記録媒体に前記データを書き込む
ことを特徴とする請求項１に記載のデータ記録装置。
【請求項３】
前記書込手段は、前記判定手段による判定の結果が肯定的である場合に、前記記録媒体のリードイン領域に、コンテンツプロバイダ情報を書き込む
ことを特徴とする請求項２に記載のデータ記録装置。
【請求項４】
前記取得手段は、前記グルーブウォブルの特性としてグルーブウォブルの振幅を取得し、
前記判定手段は、取得した前記振幅が０である場合に、前記記録媒体のグルーブウォブルが、ＤＶＤ−Ｒ規格で規定されているグルーブウォブルと区別できる特性を有すると判定する
ことを特徴とする請求項１に記載のデータ記録装置。
【請求項５】
前記取得手段は、前記グルーブウォブルの特性としてグルーブウォブルの周波数を取得し、
前記判定手段は、取得した前記周波数が、ＤＶＤ−Ｒ規格で規定されているグルーブウォブルの周波数と区別できる周波数である場合に、前記記録媒体のグルーブウォブルが、ＤＶＤ−Ｒ規格で規定されているグルーブウォブルと区別できる特性を有すると判定する
ことを特徴とする請求項１に記載のデータ記録装置。
【請求項６】
前記判定手段は、取得した前記周波数が、ＤＶＤ−Ｒ規格で規定されているグルーブウォブルの周波数の整数倍又は分数倍である場合に、前記記録媒体のグルーブウォブルが、ＤＶＤ−Ｒ規格で規定されているグルーブウォブルと区別できる特性を有すると判定する
ことを特徴とする請求項５に記載のデータ記録装置。
【請求項７】
前記データ記録装置は、
外部の記録媒体を装着して、前記記録媒体を自装置内に取り込む媒体入力手段と、
前記判定手段よる判定の結果が否定的である場合に、前記媒体入力手段を動作させて、前記記録媒体を自装置外に排出する制御手段と
を備えることを特徴とする請求項１に記載のデータ記録装置。
【請求項８】
前記書込手段は、ＤＶＤ−Ｒ規格で規定されているグルーブウォブルの周波数と区別できる規定値に設定された前記追記型の記録媒体のグルーブウォブルの周波数を用いて、前記記録媒体に前記データを書き込む
ことを特徴とする請求項１に記載のデータ記録装置。
【請求項９】
前記追記型の記録媒体のグルーブウォブルの周波数を示す前記規定値は、ＤＶＤ−Ｒ規格で規定されているグルーブウォブルの周波数の整数倍又は分数倍である
ことを特徴とする請求項８に記載のデータ記録装置。
【請求項１０】
データ記録装置で用いられるデータ記録方法であって、
外部の記録媒体から、前記記録媒体のグルーブウォブルの特性を取得する取得ステップと、
取得した前記記録媒体のグルーブウォブルが、ＤＶＤ−Ｒ規格で規定されているグルーブウォブルと区別できる特性を有し、かつ、前記記録媒体が、ＤＶＤ−ＲＯＭ規格と互換性を有する追記型の記録媒体であるか否かを判定する判定ステップと、
前記判定手段による判定の結果が否定的である場合に、前記記録媒体へのデータの書き込みを行わず、前記判定手段による判定の結果が肯定的である場合に、前記記録媒体にデータを書き込む書込ステップと
を含むことを特徴とするデータ記録方法。
【請求項１１】
データ記録装置で用いられるコンピュータプログラムであって、
外部の記録媒体から、前記記録媒体のグルーブウォブルの特性を取得する取得ステップと、
取得した前記記録媒体のグルーブウォブルが、ＤＶＤ−Ｒ規格で規定されているグルーブウォブルと区別できる特性を有し、かつ、前記記録媒体が、ＤＶＤ−ＲＯＭ規格と互換性を有する追記型の記録媒体であるか否かを判定する判定ステップと、
前記判定手段による判定の結果が否定的である場合に、前記記録媒体へのデータの書き込みを行わず、前記判定手段による判定の結果が肯定的である場合に、前記記録媒体にデータを書き込む書込ステップと
を含むことを特徴とするコンピュータプログラム。
【請求項１２】
外部の記録媒体から、前記記録媒体のグルーブウォブルの特性を取得する取得手段と、
取得した前記記録媒体のグルーブウォブルが、ＤＶＤ−Ｒ規格で規定されているグルーブウォブルと区別できる特性を有し、かつ、前記記録媒体が、ＤＶＤ−ＲＯＭ規格と互換性を有する追記型の記録媒体であるか否かを判定する判定手段と、
前記判定手段による判定の結果が否定的である場合に、前記記録媒体へのデータの書き込みを行わず、前記判定手段による判定の結果が肯定的である場合に、前記記録媒体にデータを書き込む書込手段と
を備えることを特徴とする集積回路。
【手続補正２】
【補正対象書類名】明細書
【補正対象項目名】０００７
【補正方法】変更
【補正の内容】
【０００７】
この様な不都合が生じれば、新たなコンテンツ配信システムの普及が阻まれることとなる。
そこで、ＣＳＳで保護されたコンテンツを追記型ディスクに記録した場合であっても、従来のＤＶＤプレーヤで再生することが可能な新型の追記型ディスクが提案されている。
新型の追記型ディスクは、既存のＤＶＤプレーヤで再生が可能となるよう、形状が従来のＤＶＤ−Ｒと良く似ている。そのため、ユーザが誤って従来のＤＶＤ−Ｒをキオスク端末に挿入してしまう恐れがある。
ユーザが新型の追記型ディスクと誤って、従来のＤＶＤ−Ｒをキオスク端末に挿入してしまうと、ＣＳＳで保護されたコンテンツが従来のＤＶＤ−Ｒに書き込まれた状態となる。この場合、既存のＤＶＤプレーヤは、ＣＳＳの制約を実現する機構によって、コンテンツの再生を禁止する。そのため、ユーザは、コンテンツの代金を支払っているにも関わらず、キオスク端末に挿入するディスクを誤ったために、ＤＶＤプレーヤで再生することができないディスクしか得られないこととなってしまう。
そこで、本発明は、上記の問題点に鑑みなされたものであって、正規にコンテンツを購入し、コンテンツを記録媒体に記録するユーザが、既存のＤＶＤプレーヤで再生できない記録媒体を入手してしまう事態を防止することが可能なデータ記録装置、及びデータ記録方法を提供することを目的とする。
【課題を解決するための手段】
【手続補正３】
【補正対象書類名】明細書
【補正対象項目名】０００８
【補正方法】変更
【補正の内容】
【０００８】
上記の問題点を解決するために、本発明は、データ記録装置であって、外部の記録媒体から、前記記録媒体のグルーブウォブルの特性を取得する取得手段と、取得した前記記録媒体のグルーブウォブルが、ＤＶＤ−Ｒ規格で規定されているグルーブウォブルと区別できる特性を有し、かつ、前記記録媒体が、ＤＶＤ−ＲＯＭ規格と互換性を有する追記型の記録媒体であるか否かを判定する判定手段と、前記判定手段による判定の結果が否定的である場合に、前記記録媒体へのデータの書き込みを行わず、前記判定手段による判定の結果が肯定的である場合に、前記記録媒体にデータを書き込む書込手段とを備えることを特徴とする。
【発明の効果】
【手続補正４】
【補正対象書類名】明細書
【補正対象項目名】０００９
【補正方法】変更
【補正の内容】
【０００９】
上記の構成によると、本発明のデータ記録装置は、新型の追記型ディスクにのみコンテンツを記録するので、ユーザが新型の記録ディスクと誤って従来のＤＶＤ−Ｒをデータ記録装置に挿入してしまった場合、誤って挿入された従来のＤＶＤ−Ｒには、コンテンツが記録されない。
そのため、コンテンツを購入したユーザが、既存のＤＶＤプレーヤで再生することができないディスクしか入手できない様な、ユーザにとっての不利益な事態の発生を防止することができる。
そして、上述したように、ユーザの利便性を考慮しユーザが安心して利用できるデータ記録装置を提供することにより、キオスク端末等を用いた新たなコンテンツ配信サービスの普及を促進させることとなる。
【国際調査報告】
2008016008.tif 000031
2008016008.tif 000032
2008016008.tif 000033
2008016008.tif 000034